(57)【要約】  複数種類のＬＰＣＭ信号/圧縮デジタルオーディオ信号の伝送において、それらを切り替え、良好にオーディオ再生を行い得るようにする。  デジタルオーディオ信号を所定の伝送路を介して外部機器に送信する。現在送信しているデジタルオーディオ信号に、次に送信すべきデジタルオーディオ信号に関する情報を付加する。情報には、例えば、デジタルオーディオ信号の伝送周波数を示す第１のメタデータと、デジタルオーディオ信号のデータタイプを示す第２のメタデータが含まれる。
2017043378.tif 000002
【特許請求の範囲】
【請求項１】
デジタルオーディオ信号を所定の伝送路を介して外部機器に送信する送信部と、
現在送信しているデジタルオーディオ信号に、次に送信すべきデジタルオーディオ信号に関する情報を付加する情報付加部を備える
送信装置。
【請求項２】
上記情報には、
上記デジタルオーディオ信号の伝送周波数を示す第１のメタデータと、
上記デジタルオーディオ信号のデータタイプを示す第２のメタデータが含まれる
請求項１に記載の送信装置。
【請求項３】
上記情報には、
アナログ信号に変換する際に使用されるサンプリング周波数を示す第３のメタデータと、
上記伝送周波数の上記サンプリング周波数に対する比率を示す第４のメタデータがさらに含まれる
請求項２に記載の送信装置。
【請求項４】
上記情報には、
上記次に送信すべきデジタルオーディオ信号の送信開始タイミングを示す時間情報が含まれる
請求項１に記載の送信装置。
【請求項５】
上記時間情報は、上記送信開始タイミングの時刻を示すタイムコードである
請求項４に記載の送信装置。
【請求項６】
上記時間情報は、上記送信開始タイミングまでの時間を示す情報である
請求項４に記載の送信装置。
【請求項７】
上記情報には、
上記デジタルオーディオ信号が暗号化されて送信されるとき、該暗号化のモードを示す情報が含まれる
請求項１に記載の送信装置。
【請求項８】
上記送信部は、上記デジタルオーディオ信号を単位データ毎に順次送信し、
上記情報付加部は、
連続する所定数の単位データのユーザデータビットを用いて上記情報を付加する
請求項１に記載の送信装置。
【請求項９】
受信した放送信号から上記デジタルオーディオ信号を得る放送受信部をさらに備え、
上記情報付加部は、上記情報を、上記放送信号から取得する
請求項１に記載の送信装置。
【請求項１０】
メディアから上記デジタルオーディオ信号を読み出して得るメディア読み出し部をさらに備え、
上記情報付加部は、上記情報を、上記メディアから取得する
請求項１に記載の送信装置。
【請求項１１】
上記送信部は、
上記次に送信すべきデジタルオーディオ信号の送信を、現在送信しているデジタルオーディオ信号の送信終了時点から一定時間を経過した時点で開始する
請求項１に記載の送信装置。
【請求項１２】
上記所定伝送路は、同軸ケーブル、光ケーブル、イーサネット（ＩＥＣ ６１８８３−６）ケーブル、ＨＤＭＩケーブル、ＭＨＬケーブルまたはディスプレイポートケーブルである
請求項１に記載の送信装置。
【請求項１３】
送信部により、デジタルオーディオ信号を所定の伝送路を介して外部機器に送信する送信ステップと、
現在送信しているデジタルオーディオ信号に、次に送信すべきデジタルオーディオ信号に関する情報を付加する情報付加ステップを有する
送信方法。
【請求項１４】
デジタルオーディオ信号を外部機器から所定の伝送路を介して受信する受信部と、
上記デジタルオーディオ信号を処理する処理部を備え、
現在受信しているデジタルオーディオ信号には、次に受信されるデジタルオーディオ信号に関する情報が付加されており、
上記処理部は、上記次に受信されるデジタルオーディオ信号を、上記情報に基づいて処理する
受信装置。
【請求項１５】
上記情報には、上記デジタルオーディオ信号の伝送周波数を示す第１のメタデータと、上記デジタルオーディオ信号のデータタイプを示す第２のメタデータが含まれており、
上記処理部は、
上記第１のメタデータで示される伝送周波数に応じた周波数にＰＬＬをロックし、該ＰＬＬでロックされた周波数のクロック信号を用いて、上記次に受信されるデジタルオーディオ信号に、上記第２のメタデータで示されるデータタイプに応じた処理を施す
請求項１４に記載の受信装置。
【請求項１６】
上記処理部は、
上記現在受信しているデジタルオーディオ信号に付加されている上記情報が抽出された時点から、該情報に基づいて上記次に受信されるデジタルオーディオ信号を処理するための準備を開始する
請求項１４に記載の受信装置。
【請求項１７】
上記処理部は、
上記現在受信しているデジタルオーディオ信号に付加されている上記情報が抽出された後に、上記現在のデジタルオーディオ信号の送信終了時点から、上記情報に基づいて上記次に受信されるデジタルオーディオ信号を処理するための準備を開始する
請求項１４に記載の受信装置。
【請求項１８】
上記所定伝送路は、同軸ケーブル、光ケーブル、イーサネット（ＩＥＣ ６１８８３−６）ケーブル、ＨＤＭＩケーブル、ＭＨＬケーブルまたはディスプレイポートケーブルである
請求項１４に記載の受信装置。
【請求項１９】
受信部により、デジタルオーディオ信号を外部機器から所定の伝送路を介して受信する受信ステップと、
上記デジタルオーディオ信号を処理する処理ステップを有し、
上記現在受信しているデジタルオーディオ信号には、次に受信されるデジタルオーディオ信号に関する情報が付加されており、
上記処理ステップでは、上記次に受信されるデジタルオーディオ信号を、上記情報に基づいて処理する
受信方法。
【発明の詳細な説明】
【技術分野】
【０００１】
この発明は、送信装置、送信方法、受信装置および受信方法に関し、詳しくは、ＬＰＣＭ信号/圧縮デジタルオーディオ信号を送信、受信する送信装置および受信装置等に関する。
【背景技術】
【０００２】
次世代のテレビ放送においてはＭＰＥＧ−４ ＡＡＣが使用され、オーディオのチャンネル数としては２チャネルや５．１チャネル等があり、５．１チャネルを再生できない機器はデジタル出力にその信号を載せてオーディオアンプに送り、オーディオアンプにおいてマルチチャンネルオーディオ再生を行うことになる。【０００３】
デジタル出力方法規格としてはＩＥＣ ６１９３７−１１が適用される。ＩＥＣ ６１９３７は、ＩＥＣ ６０９５８−３上でパケット化した圧縮オーディオデータを伝送する規格であり、ＩＥＣ ６１９３７−１１はＭＰＥＧ−４ ＡＡＣの伝送方法を規定している。テレビ放送において使用されるＭＰＥＧ−４ ＡＡＣの伝送においては、２チャネルも５．１チャネルも圧縮されているため、ＩＥＣ ６０９５８−３で規定されているＬＰＣＭ ４８ｋＨｚ ２チャネルと同じ伝送レートで出力される。【０００４】
さらに、次世代のテレビ放送においてはＭＰＥＧ−４ ＡＬＳが新たに採用され、ＡＬＳ自体が可逆圧縮コーデックであるため、そのデータレートは増大し、ＩＥＣ ６１９３７−１０規格を適用し伝送されるものの、従来の２倍の９６ｋＨｚの伝送レートで出力されることになる。【０００５】
したがって、ＭＰＥＧ−４ ＡＡＣからＭＰＥＧ−４ ＡＬＳへの伝送フォーマットの切り替わり時に、異音がでたり、コンテンツの音の頭切れが生じたりする懸念がある。これは、伝送レートが４８ｋＨｚから９６ｋＨｚに変化するためＰＬＬが追従するのに時間がかかること、また圧縮フォーマットがＡＡＣからＡＬＳに変化することにより音声デコーダを切り替える必要が生じることなどに時間がかかることなどに起因する。また、同様に４８ｋＨｚのＬＰＣＭ信号からＡＬＳ信号に切り替わる際などにも同様の懸念がある。【０００６】
特許文献１には、ＩＥＥＥ１３９４インタフェースにおいてコマンドを用いて信号形式を通知する例があるが、ＩＥＣ ６０９５８自体にはコマンド通信路はないので適用できない。また、特許文献２には、同じくＩＥＥＥ１３９４インタフェースにおいてインバリッド・データ（invalid data）を用いて後続のフォーマットを通知する方法が提案されているが、伝送周波数がフォーマットで異なりＰＬＬがロックしなおすのに時間を要する場合には有用ではない。
【先行技術文献】
【特許文献】
【０００７】
【特許文献１】特開２００３−２８９３０４号公報
【特許文献２】欧州特許第１４３２１７５号明細書
【発明の概要】
【発明が解決しようとする課題】
【０００８】
本技術の目的は、複数種類のＬＰＣＭ信号/圧縮デジタルオーディオ信号の伝送において、それらを切り替え、良好にオーディオ再生を行い得るようにすることにある。
【課題を解決するための手段】
【０００９】
本技術の概念は、
デジタルオーディオ信号を所定の伝送路を介して外部機器に送信する送信部と、
現在送信しているデジタルオーディオ信号に、次に送信すべきデジタルオーディオ信号に関する情報を付加する情報付加部を備える
送信装置にある。【００１０】
本技術において、送信部により、デジタルオーディオ信号が所定の伝送路を介して外部機器に送信される。そして、情報付加部により、現在送信しているデジタルオーディオ信号に、次に送信すべきデジタルオーディオ信号に関する情報が付加される。【００１１】
例えば、情報には、デジタルオーディオ信号の伝送周波数を示す第１のメタデータと、デジタルオーディオ信号のデータタイプを示す第２のメタデータが含まれる、ようにされてもよい。この場合、例えば、情報には、アナログ信号に変換する際に使用されるサンプリング周波数を示す第３のメタデータと、伝送周波数のサンプリング周波数に対する比率を示す第４のメタデータがさらに含まれる、ようにされてもよい。【００１２】
例えば、情報には、次に送信すべきデジタルオーディオ信号の送信開始タイミングを示す時間情報が含まれる、ようにされてもよい。この場合、例えば、時間情報は、送信開始タイミングの時刻を示すタイムコードである、ようにされてもよい。また、この場合、例えば、時間情報は、送信開始タイミングまでの時間を示す情報である、ようにされてもよい。また、例えば、情報には、デジタルオーディオ信号が暗号化されて送信されるとき、この暗号化のモードを示す情報が含まれる、ようにされてもよい。【００１３】
例えば、受信された放送信号からデジタルオーディオ信号を得る放送受信部をさらに備え、情報付加部は、情報を、放送信号から取得する、ようにされてもよい。また、例えば、メディアからデジタルオーディオ信号を読み出して得るメディア読み出し部をさらに備え、情報付加部は、情報を、メディアから取得する、ようにされてもよい。【００１４】
送信部により、情報が付加されたデジタルオーディオ信号が、所定の伝送路を介して、外部機器に送信される。例えば、送信部は、デジタルオーディオ信号を単位データ毎に順次送信し、情報付加部は、連続する所定数の単位データのユーザデータビットを用いて情報を付加する、ようにされてもよい。【００１５】
例えば、送信部は、次に送信すべきデジタルオーディオ信号の送信を、現在送信しているデジタルオーディオ信号の送信終了時点から一定時間を経過した時点で開始する、ようにされてもよい。例えば、所定伝送路は、同軸ケーブル、光ケーブル、イーサネット（ＩＥＣ ６１８８３−６）ケーブル、ＨＤＭＩケーブル、ＭＨＬケーブルまたはディスプレイポートケーブルである、ようにされてもよい。【００１６】
このように本技術においては、現在送信しているデジタルオーディオ信号に次に送信すべきデジタルオーディオ信号に関する情報が付加されて送信される。そのため、複数種類のＬＰＣＭ信号/圧縮デジタルオーディオ信号の伝送において、それらを切り替え、良好にオーディオ再生を行い得る。【００１７】
また、本技術の他の概念は、
デジタルオーディオ信号を外部機器から所定の伝送路を介して受信する受信部と、
上記デジタルオーディオ信号を処理する処理部を備え、
現在受信しているデジタルオーディオ信号には、次に受信されるデジタルオーディオ信号に関する情報が付加されており、
上記処理部は、上記次に受信されるデジタルオーディオ信号を、上記情報に基づいて処理する
受信装置にある。【００１８】
本技術において、受信部により、デジタルオーディオ信号が外部機器から所定の伝送路を介して受信される。そして、処理部により、デジタルオーディオ信号が処理される。例えば、所定伝送路は、同軸ケーブル、光ケーブル、イーサネット（ＩＥＣ ６１８８３−６）ケーブル、ＨＤＭＩケーブル、ＭＨＬケーブルまたはディスプレイポートケーブルである、ようにされてもよい。現在受信しているデジタルオーディオ信号には、次に受信されるデジタルオーディオ信号に関する情報が付加されている。処理部では、次に受信されるデジタルオーディオ信号が、現在受信しているデジタルオーディオ信号に付加されている情報に基づいて処理される。【００１９】
例えば、情報には、デジタルオーディオ信号の伝送周波数を示す第１のメタデータと、デジタルオーディオ信号のデータタイプを示す第２のメタデータが含まれており、処理部は、第１のメタデータで示される伝送周波数に応じた周波数にＰＬＬをロックし、このＰＬＬでロックされた周波数のクロック信号を用いて、後続するデジタルオーディオ信号に、第２のメタデータで示されるデータタイプに応じた処理を施す、ようにされてもよい。【００２０】
例えば、処理部は、現在受信しているデジタルオーディオ信号に付加されている情報が抽出された時点から、この情報に基づいて次に受信されるデジタルオーディオ信号を処理するための準備を開始する、ようにされてもよい。また、例えば、処理部は、現在受信しているデジタルオーディオ信号に付加されている情報が抽出された後に、現在のデジタルオーディオ信号の送信終了時点から、この情報に基づいて次に受信されるデジタルオーディオ信号を処理するための準備を開始する、ようにされてもよい。【００２１】
このように本技術においては、次に受信されるデジタルオーディオ信号が、現在受信しているデジタルオーディオ信号に付加されている情報に基づいて処理される。そのため、複数種類のＬＰＣＭ信号/圧縮デジタルオーディオ信号の伝送において、それらを切り替え、良好にオーディオ再生を行い得る。
【発明の効果】
【００２２】
本技術によれば、複数種類のＬＰＣＭ信号/圧縮デジタルオーディオ信号の伝送において、それらを切り替え、良好にオーディオ再生を行い得る。なお、本明細書に記載された効果はあくまで例示であって限定されるものではなく、また付加的な効果があってもよい。
【図面の簡単な説明】
【００２３】
【図１】実施の形態としてのＡＶシステムの構成例を示すブロック図である。
【図２】ＡＶシステムを構成するテレビ受信機の構成例を示すブロック図である。
【図３】ＡＶシステムを構成するオーディオアンプの構成例を示すブロック図である。
【図４】伝送周波数、サンプリング周波数などの表示例を示す図である。
【図５】伝送周波数、サンプリング周波数などの表示例を示す図である。
【図６】ＡＶシステムを構成するＢＤプレーヤの構成例を示すブロック図である。
【図７】テレビ受信機のＨＤＭＩ受信部とオーディオアンプのＨＤＭＩ送信部の構成例を示すブロック図である。
【図８】ＴＭＤＳチャネルにおいて横×縦が１９２０ピクセル×１０８０ラインの画像データが伝送される場合の各種の伝送データの区間を示す図である。
【図９】ＨＤＭＩコネクタのピン配列を示す図である。
【図１０】テレビ受信機の高速バスインタフェースの構成例を示す図である。
【図１１】オーディオアンプの高速バスインタフェースの構成例を示す図である。
【図１２】ＩＥＣ ６０９５８規格におけるフレーム構成を示す図である。
【図１３】ＩＥＣ ６０９５８規格におけるサブフレーム構成を示す図である。
【図１４】ＩＥＣ ６０９５８規格における信号変調方式を示す図である。
【図１５】ＩＥＣ ６０９５８規格におけるプリアンブルのチャネルコーディングを示す図である。
【図１６】ＩＥＣ ６０９５８・インタフェース・フォーマットを示す図である。
【図１７】テレビ受信機におけるデジタルオーディオ信号の送信系を概略的に示す図である。
【図１８】ユーザデータメッセージの構成例を示す図である。
【図１９】オーディオアンプにおけるデジタルオーディオ信号の送信系を概略的に示す図である。
【図２０】デジタルオーディオ信号に情報が付加されない場合の例を示す図である。
【図２１】デジタルオーディオ信号に情報が付加される場合であって、受信装置のＭＰＥＧデコーダがパラレル処理を可能とする場合の例を示す図である。
【図２２】デジタルオーディオ信号に情報が付加される場合であって、受信装置のＭＰＥＧデコーダがパラレル処理を可能としない場合の例を示す図である。
【図２３】ＭＰＥＧ−４ ＡＡＣのオーディオ素材ＡからＭＰＥＧ−４ ＡＬＳのオーディオ素材Ｂに切り替えて送信する場合における制御フローを示す図である。
【図２４】メディア再生機におけるデジタルオーディオ信号の送信系を概略的に示す図である。
【図２５】ユーザデータメッセージの他の構成例を示す図である。
【図２６】デジタルオーディオ信号が暗号化されて送信される場合におけるテレビ受信機における送信系の構成例を示す図である。
【図２７】デジタルオーディオ信号が暗号化されて送信されてくる場合におけるオーディオアンプの受信系の構成例を示す図である。
【図２８】ＩＥＣ ６０９５８伝送路として光ケーブルを利用した場合におけるＡＶシステムの構成例を示すブロック図である。
【発明を実施するための形態】
【００２４】
以下、発明を実施するための形態（以下、「実施の形態」とする）について説明する。なお、説明を以下の順序で行う。
１．実施の形態
２．変形例
【００２５】
＜１．実施の形態＞
［ＡＶシステムの構成例］
【００２６】
図１は、実施の形態としてのＡＶシステム１０の構成例を示している。このＡＶシステム１０は、シンク機器としてのテレビ受信機１００と、リピータ機器としてのオーディオアンプ２００と、ソース機器としてのＢＤ(Blu-Ray Disc)プレーヤ３００とを有している。テレビ受信機１００およびＢＤプレーヤ３００には、テレビ放送の受信アンテナ４００が接続されている。また、オーディオアンプ２００には、２チャネル用あるいはマルチチャネル用のスピーカシステム５００が接続されている。
【００２７】
テレビ受信機１００およびオーディオアンプ２００はＨＤＭＩケーブル６１０を介して接続されている。テレビ受信機１００には、ＨＤＭＩ受信部（HDMI RX）１０２と、通信部を構成する高速バスインタフェース１０３とが接続されたＨＤＭＩ端子１０１が設けられている。なお、「ＨＤＭＩ」は登録商標である。
【００２８】
また、オーディオアンプ２００には、ＨＤＭＩ送信部（HDMI TX）２０２ａと、通信部を構成する高速バスインタフェース２０３ａとが接続されたＨＤＭＩ端子２０１ａが設けられている。上述したＨＤＭＩケーブル６１０の一端はテレビ受信機１００のＨＤＭＩ端子１０１に接続され、このＨＤＭＩケーブル６１０の他端はオーディオアンプ２００のＨＤＭＩ端子２０１ａに接続されている。
【００２９】
また、オーディオアンプ２００およびＢＤプレーヤ３００はＨＤＭＩケーブル６２０を介して接続されている。オーディオアンプ２００には、ＨＤＭＩ受信部（HDMI RX）２０２ｂと、通信部を構成する高速バスインタフェース２０３ｂとが接続されたＨＤＭＩ端子２０１ｂが設けられている。
【００３０】
また、ＢＤプレーヤ３００には、ＨＤＭＩ送信部（HDNI TX）３０２と、通信部を構成する高速バスインタフェース３０３とが接続されたＨＤＭＩ端子３０１が設けられている。上述したＨＤＭＩケーブル６２０の一端はオーディオアンプ２００のＨＤＭＩ端子２０１ｂに接続され、このＨＤＭＩケーブル６２０の他端はＢＤプレーヤ３００のＨＤＭＩ端子３０１に接続されている。
【００３１】
［テレビ受信機の構成例］
図２は、テレビ受信機１００の構成例を示している。このテレビ受信機１００は、ＨＤＭＩ端子１０１と、ＨＤＭＩ受信部１０２と、高速バスインタフェース１０３と、ＳＰＤＩＦ（Sony Philips Digital Interface）送信回路１０４を有している。また、テレビ受信機１００は、アンテナ端子１０５と、デジタル放送チューナ１０６と、ＭＰＥＧデコーダ１０７と、映像信号処理回路１０８と、グラフィック生成回路１０９と、パネル駆動回路１１０と、表示パネル１１１とを有している。
【００３２】
また、テレビ受信機１００は、音声信号処理回路１１２と、音声増幅回路１１３と、スピーカ１１４と、イーサネットインタフェース（Ethernet I/F）１１５と、ネットワーク端子１１６を有している。また、テレビ受信機１００は、内部バス１２０と、ＣＰＵ１２１と、フラッシュＲＯＭ１２２と、ＳＤＲＡＭ（Synchronous RAM）１２３と、表示制御部１２４と、リモコン受信部１２５と、リモコン送信機１２６と、電源部１２７を有している。なお、「イーサネット」および「Ｅｔｈｅｒｎｅｔ」は登録商標である。
【００３３】
ＣＰＵ１２１は、テレビ受信機１００の各部の動作を制御する。フラッシュＲＯＭ１２２は、制御ソフトウェアの格納およびデータの保管を行う。ＳＤＲＡＭ１２３は、ＣＰＵ１２１のワークエリアを構成する。ＣＰＵ１２１は、フラッシュＲＯＭ１２２から読み出したソフトウェアやデータをＳＤＲＡＭ１２３上に展開してソフトウェアを起動させ、テレビ受信機１００の各部を制御する。
【００３４】
リモコン受信部１２５は、リモコン送信機１２６から送信されたリモーコントロール信号（リモコンコード）を受信し、ＣＰＵ１２１に供給する。ＣＰＵ１２１は、このリモコンコードに基づいて、テレビ受信機１００の各部を制御する。なお、この実施の形態では、ユーザ指示入力部としてリモートコントロール部を示しているが、ユーザ指示入力部は、その他の構成、例えば、近接/タッチにより指示入力を行うタッチパネル部、マウス、キーボード、カメラで指示入力を検出するジェスチャ入力部、音声により指示入力を行う音声入力部などであってもよい。
【００３５】
アンテナ端子１０５は、受信アンテナ（図示せず）で受信されたテレビ放送信号を入力する端子である。デジタル放送チューナ１０６は、アンテナ端子１０５に入力されたテレビ放送信号を処理して、ユーザの選択チャネルに対応した所定のトランスポートストリームから、パーシャルＴＳ（Transport Stream）（映像データのＴＳパケット、音声データのＴＳパケット）を抽出する。
【００３６】
また、デジタル放送チューナ１０６は、得られたトランスポートストリームから、ＰＳＩ／ＳＩ（Program Specific Information／Service Information）を取り出し、ＣＰＵ１２１に出力する。デジタル放送チューナ１０６で得られた複数のトランスポートストリームから任意のチャネルのパーシャルＴＳを抽出する処理は、ＰＳＩ／ＳＩ（ＰＡＴ／ＰＭＴ）から当該任意のチャネルのパケットＩＤ（ＰＩＤ）の情報を得ることで可能となる。
【００３７】
ＭＰＥＧデコーダ１０７は、デジタル放送チューナ１０６で得られる映像データのＴＳパケットにより構成される映像ＰＥＳ（Packetized Elementary Stream）パケットに対してデコード処理を行って画像データを得る。また、ＭＰＥＧデコーダ１０７は、デジタル放送チューナ１０６で得られる音声データのＴＳパケットにより構成される音声ＰＥＳパケットに対して復号化処理を行って音声データを得る。なお、放送フォーマットがＭＰＥＧ ＴＳではなくＭＰＥＧ ＭＭＴである場合も同様の処理が行われる。
【００３８】
映像信号処理回路１０８およびグラフィック生成回路１０９は、ＭＰＥＧデコーダ１０７で得られた画像データ、あるいはＨＤＭＩ受信部１０２で受信された画像データに対して、必要に応じてスケーリング処理（解像度変換処理）、グラフィックスデータの重畳処理等を行う。
【００３９】
パネル駆動回路１１０は、グラフィック生成回路１０９から出力される映像（画像）データに基づいて、表示パネル１１１を駆動する。表示制御部１２４は、グラフィクス生成回路１０９やパネル駆動回路１１０を制御して、表示パネル１１１における表示を制御する。表示パネル１１１は、例えば、ＬＣＤ(Liquid Crystal Display)、ＰＤＰ(Plasma Display Panel)、有機ＥＬパネル（Organic Electro-Luminescence Panel）等で構成されている。
【００４０】
なお、この実施の形態では、ＣＰＵ１２１の他に表示制御部１２４を有する例を示しているが、表示パネル１１１における表示をＣＰＵ１２１が直接制御するようにしてもよい。また、ＣＰＵ１２１と表示制御部１２４は、１つのチップになっていても、複数コアであってもよい。電源部１２７は、テレビ受信機１００の各部に電源を供給する。この電源部１２７は、ＡＣ電源であっても、電池（蓄電池、乾電池）であってもよい。
【００４１】
音声信号処理回路１１２はＭＰＥＧデコーダ１０７で得られた音声データに対してＤ／Ａ変換等の必要な処理を行う。音声増幅回路１１３は、音声信号処理回路１１２から出力される音声信号を増幅してスピーカ１１４に供給する。なお、スピーカ１１４は、モノラルでもステレオでもよい。また、スピーカ１１４は、１つでもよく、２つ以上でもよい。また、スピーカ１１４は、イヤホン、ヘッドホンでもよい。また、スピーカ１１４は、２．１チャネルや、５．１、７．１、２２．２チャネルなどに対応するものであってもよい。また、スピーカ１１４は、テレビ受信機１００と無線で接続されてもよい。また、スピーカ１１４は、他機器であってもよい。
【００４２】
ネットワーク端子１１６は、ネットワークに接続する端子であり、イーサネットインタフェース１１５に接続される。ＣＰＵ１２１、フラッシュＲＯＭ１２２、ＳＤＲＡＭ１２３、イーサネットインタフェース１１５および表示制御部１２４は、内部バス１２０に接続されている。
【００４３】
ＨＤＭＩ受信部（ＨＤＭＩシンク）１０２は、ＨＤＭＩに準拠した通信により、ＨＤＭＩケーブルを介してＨＤＭＩ端子１０１に供給されるベースバンドの画像（映像）と音声のデータを受信する。高速バスインタフェース１０３は、ＨＤＭＩケーブルを構成するリザーブラインおよびＨＰＤラインを用いて構成される双方向通信路のインタフェースである。ＨＤＭＩ受信部１０２の詳細は後述する。
【００４４】
ＳＰＤＩＦ送信回路１０４は、デジタルオーディオ信号（ＬＰＣＭ信号/圧縮デジタルオーディオ信号）ＳＡを含むＩＥＣ ６０９５８規格のデジタルオーディオ伝送信号（以下、適宜、「ＳＰＤＩＦ信号」という）を送信するための回路である。このＳＰＤＩＦ送信回路１０４はＩＥＣ ６０９５８規格に準拠した送信回路である。
【００４５】
この実施の形態において、ＳＰＤＩＦ送信回路１０４は、２チャネルや５．１チャネルなどのデジタルオーディオ信号ＳＡを含むＳＰＤＩＦ信号を生成する。このデジタルオーディオ信号ＳＡは、例えば、デジタル放送チューナ１０６で放送信号から取得されたＭＰＥＧ−４ ＡＡＣの圧縮デジタルオーディオ信号、ＭＰＥＧ−４ ＡＬＳの圧縮デジタルオーディオ信号などである。
【００４６】
また、この実施の形態において、ＳＰＤＩＦ送信回路１０４は、現在送信しているデジタルオーディオ信号ＳＡに、次に送信すべきデジタルオーディオ信号ＳＡに関する、オーディオフォーマットなどの情報を付加する。この情報には、デジタルオーディオ信号の伝送周波数を示す第１のメタデータと、デジタルオーディオ信号のデータタイプを示す第２のメタデータが含まれる。また、この情報には、アナログ信号に変換する際に使用されるサンプリング周波数を示す第３のメタデータと、伝送周波数のサンプリング周波数に対する比率を示す第４のメタデータがさらに含まれる。
【００４７】
また、この情報には、次に送信すべきデジタルオーディオ信号ＳＡの送信開始タイミングを示す時間情報が含まれる。例えば、この時間情報は、送信開始タイミングの時刻を示すタイムコード、あるいは送信開始タイミングまでの時間を示す情報とされる。また、この情報には、デジタルオーディオ信号ＳＡが暗号化されて送信されるとき、この暗号化のモードを示す情報が含まれる。なお、ＳＰＤＩＦ信号の詳細は後述する。
【００４８】
高速バスインタフェース１０３は、イーサネットインタフェース１１５とＨＤＭＩ端子１０１との間に挿入されている。この高速バスインタフェース１０３は、ＨＤＭＩケーブルからＨＤＭＩ端子１０１を介して相手側の機器から受信された受信データを、イーサネットインタフェース１１５を通じてＣＰＵ１２１に供給する。
【００４９】
また、この高速バスインタフェース１０３は、ＣＰＵ１２１からイーサネットインタフェース１１５を通じて供給される送信データを、ＨＤＭＩ端子１０１からＨＤＭＩケーブルを介して相手側の機器に送信する。また、この高速バスインタフェース１０３は、ＳＰＤＩＦ送信回路１０４で生成されたＳＰＤＩＦ信号を、ＨＤＭＩ端子１０１からＨＤＭＩケーブルを介して相手側の機器に送信する。なお、高速バスインタフェース１０３の詳細は後述する。
【００５０】
なお、例えば、受信されたコンテンツデータをネットワークに送出する際には、このコンテンツデータは、イーサネットインタフェース１１５を介して、ネットワーク端子１１６に出力される。同様に、受信されたコンテンツデータをＨＤＭＩケーブルの双方向通信路に送出する際には、当該コンテンツデータは、イーサネットインタフェース１１５および高速バスインタフェース１０３を介して、ＨＤＭＩ端子１０１に出力される。ここで、画像データを出力する前に、著作権保護技術、例えばＨＤＣＰ、ＤＴＣＰ、ＤＴＣＰ＋などを用いて暗号化してから伝送してもよい。
【００５１】
図２に示すテレビ受信機１００の動作を簡単に説明する。アンテナ端子１０５に入力されたテレビ放送信号はデジタル放送チューナ１０６に供給される。このデジタル放送チューナ１０６では、テレビ放送信号を処理して、ユーザの選択チャネルに対応した所定のトランスポートストリームが出力され、トランスポートストリームから、パーシャルＴＳ（映像データのＴＳパケット、音声データのＴＳパケット）が抽出され、当該パーシャルＴＳはＭＰＥＧデコーダ１０７に供給される。テレビ放送信号がＭＭＴ形式の場合は、音声データはＬＡＴＭ/ＬＯＡＳ形式である。
【００５２】
ＭＰＥＧデコーダ１０７では、映像データのＴＳパケットにより構成される映像ＰＥＳパケットに対してデコード処理が行われて映像データが得られる。この映像データは、映像信号処理回路１０８およびグラフィック生成回路１０９において、必要に応じて、スケーリング処理（解像度変換処理）、グラフィックスデータの重畳処理等が行われた後に、パネル駆動回路１１０に供給される。そのため、表示パネル１１１には、ユーザの選択チャネルに対応した画像が表示される。
【００５３】
また、ＭＰＥＧデコーダ１０７では、音声データのＴＳパケットにより構成される音声ＰＥＳパケットに対してデコード処理が行われて音声データが得られる。この音声データは、音声信号処理回路１１２でＤ／Ａ変換等の必要な処理が行われ、さらに、音声増幅回路１１３で増幅された後に、スピーカ１１４に供給される。そのため、スピーカ１１４から、ユーザの選択チャネルに対応した音声が出力される。音声データがＬＡＴＭ/ＬＯＡＳ形式である場合は、その形式に従ってデコード処理が行われる。
【００５４】
また、ネットワーク端子１１６からイーサネットインタフェース１１５に供給される、あるいは、ＨＤＭＩ端子１０１から高速バスインタフェース１０３を通じてイーサネットインタフェース１１５に供給されるコンテンツデータ（画像データ、音声データ）は、ＭＰＥＧデコーダ１０７に供給される。以降は、上述したテレビ放送信号の受信時と同様の動作となり、表示パネル１１１に画像が表示され、スピーカ１１４から音声が出力される。
【００５５】
また、ＨＤＭＩ受信部１０２では、ＨＤＭＩ端子１０１にＨＤＭＩケーブルを介して送信されてくる画像データおよび音声データが取得される。画像データは、映像信号処理回路１０８に供給される。また、音声データは、音声信号処理回路１１２に供給される。以降は、上述したテレビ放送信号の受信時と同様の動作となり、表示パネル１１１に画像が表示され、スピーカ１１４から音声が出力される。
【００５６】
また、ＳＰＤＩＦ送信回路１０４で生成された、デジタルオーディオ信号ＳＡを含むＳＰＤＩＦ信号は、高速バスインタフェース１０３に供給される。そして、このＳＰＤＩＦ信号は、高速バスインタフェース１０３により、ＨＤＭＩ端子１０１からＨＤＭＩケーブル６１０を介してオーディオアンプ２００に送信される。
【００５７】
［オーディオアンプの構成例］
図３は、オーディオアンプ２００の構成例を示している。オーディオアンプ２００は、ＨＤＭＩ端子２０１ａ，２０１ｂと、ＨＤＭＩ送信部２０２ａと、ＨＤＭＩ受信部２０２ｂと、高速バスインタフェース２０３ａ，２０３ｂと、ＳＰＤＩＦ受信回路２０４を有している。
【００５８】
また、オーディオアンプ２００は、ＭＰＥＧデコーダ２０５と、映像・グラフィック処理回路２０６と、音声処理回路２０７と、音声増幅回路２０８と、音声出力端子２０９を有している。また、オーディオアンプ２００は、イーサネットインタフェース２１０と、内部バス２１１と、ＣＰＵ２１２と、フラッシュＲＯＭ２１３と、ＤＲＡＭ２１４と、表示制御部２１５と、パネル駆動回路２１６と、表示パネル２１７と、電源部２１８と、リモコン受信部２１９と、リモコン送信機２２０を有している。
【００５９】
ＣＰＵ２１２は、オーディオアンプ２００の各部の動作を制御する。フラッシュＲＯＭ２１３は、制御ソフトウェアの格納およびデータの保管を行う。ＤＲＡＭ２１４は、ＣＰＵ２１２のワークエリアを構成する。ＣＰＵ２１２は、フラッシュＲＯＭ２１３から読み出したソフトウェアやデータをＤＲＡＭ２１４上に展開してソフトウェアを起動させ、オーディオアンプ２００の各部を制御する。ＣＰＵ２１２、フラッシュＲＯＭ２１３、ＤＲＡＭ２１４、イーサネットインタフェース２１０および表示制御部２１５は、内部バス２１１に接続されている。
【００６０】
リモコン受信部２１９は、リモコン送信機２２０から送信されたリモーコントロール信号（リモコンコード）を受信し、ＣＰＵ２１２に供給する。ＣＰＵ２１２は、このリモコンコードに基づいて、オーディオアンプ２００の各部を制御する。なお、この実施の形態では、ユーザ指示入力部としてリモートコントロール部を示しているが、ユーザ指示入力部は、その他の構成、例えば、近接/タッチにより指示入力を行うタッチパネル部、マウス、キーボード、カメラで指示入力を検出するジェスチャ入力部、音声により指示入力を行う音声入力部などであってもよい。
【００６１】
ＨＤＭＩ送信部（ＨＤＭＩソース）２０２ａは、ＨＤＭＩに準拠した通信により、ベースバンドの映像（画像）と音声のデータを、ＨＤＭＩ端子２０１ａからＨＤＭＩケーブルに送出する。ＨＤＭＩ受信部（ＨＤＭＩシンク）２０２ｂは、ＨＤＭＩに準拠した通信により、ＨＤＭＩケーブルを介してＨＤＭＩ端子２０１ｂに供給されるベースバンドの映像（画像）と音声のデータを受信する。ＨＤＭＩ送信部２０２ａおよびＨＤＭＩ受信部２０２ｂの詳細は後述する。
【００６２】
高速バスインタフェース２０３ａ，２０３ｂは、ＨＤＭＩケーブルを構成するリザーブラインおよびＨＰＤラインを用いた双方向通信のインタフェースである。高速バスインタフェース２０３ａ，２０３ｂの詳細は後述する。ＳＰＤＩＦ受信回路２０４は、ＳＰＤＩＦ信号（ＩＥＣ ６０９５８規格のデジタルオーディオ信号）を受信するための回路である。このＳＰＤＩＦ受信回路２０４はＩＥＣ ６０９５８規格に準拠した受信回路である。
【００６３】
この実施の形態において、ＳＰＤＩＦ受信回路２０４は、デジタルオーディオ信号ＳＡを含むＳＰＤＩＦ信号を受信し、このデジタルオーディオ信号ＳＡを出力する。また、この実施の形態において、ＳＰＤＩＦ受信回路２０４は、デジタルオーディオ信号ＳＡに付加されている情報を抽出し、ＣＰＵ２１２に送る。
【００６４】
上述したように、現在受信されているデジタルオーディオ信号ＳＡに、次に受信すべきデジタルオーディオ信号ＳＡに関する情報が付加されている。この情報には、デジタルオーディオ信号の伝送周波数を示す第１のメタデータと、デジタルオーディオ信号のデータタイプを示す第２のメタデータが含まれる。また、この情報には、アナログ信号に変換する際に使用されるサンプリング周波数を示す第３のメタデータと、伝送周波数のサンプリング周波数に対する比率を示す第４のメタデータがさらに含まれる。
【００６５】
また、この情報には、後続するデジタルオーディオ信号ＳＡの開始タイミングを示す時間情報が含まれる。例えば、この時間情報は、開始タイミングの時刻を示すタイムコード、あるいは開始タイミングまでの時間を示す情報とされる。また、この情報には、デジタルオーディオ信号ＳＡが暗号化されているとき、この暗号化のモードを示す情報が含まれる。
【００６６】
ＭＰＥＧデコーダ２０５は、高速バスインタフェース２０３ａを介してイーサネットインタフェース２１０に供給されるパーシャルＴＳを復号化する。この場合、パーシャルＴＳのうち、音声のＰＥＳパケットに対して復号化処理を行って、２チャネルや５．１チャネルなどの非圧縮デジタルオーディオ信号を得る。
【００６７】
また、ＭＰＥＧデコーダ２０５は、ＳＰＤＩＦ受信回路２０４で得られたデジタルオーディオ信号ＳＡに復号化処理を施し、２チャネルや５．１チャネルなどの非圧縮デジタルオーディオ信号を得る。この場合、ＭＰＥＧデコーダ２０５は、ＣＰＵ２１２の制御のもと、現在受信されているデジタルオーディオ信号ＳＡに付加されている情報に基づいて、次に受信されるデジタルオーディオ信号ＳＡを処理し、非圧縮デジタルオーディオ信号を得る。
【００６８】
例えば、第１のメタデータで示される伝送周波数に応じた周波数にＰＬＬをロックし、このＰＬＬでロックされた周波数のクロック信号を用いて、後続するデジタルオーディオ信号ＳＡに、第２のメタデータで示されるデータタイプに応じた処理を施す。例えば、デジタルオーディオ信号ＳＡであるときは、その圧縮方式に応じたプログラムによる復号化処理をする。
【００６９】
音声処理回路２０７は、ＭＰＥＧデコーダ２０５で得られた２チャネルや５．１チャネルなどの各チャネルの非圧縮デジタルオーディオ信号にＤ／Ａ変換等の必要な処理を施し、各チャネルのアナログオーディオ信号を得る。このとき、音声処理回路２０７は、圧縮デジタルオーディオ信号ＳＡに復号化処理が施されて得られた各チャネルの非圧縮デジタルオーディオ信号に関しては、第３のメタデータで示されるサンプリング周波数でアナログ信号に変換する。
【００７０】
音声増幅回路２０８は、音声処理回路２０７で得られる２チャネルあるいはマルチチャネルの各チャネルのアナログオーディオ信号を増幅して音声出力端子２０９に出力する。なお、音声出力端子２０９には、２チャネル用あるいはマルチチャネル用のスピーカシステム５００が接続されている。
【００７１】
音声処理回路２０７は、さらに、ＨＤＭＩ受信部２０２ｂで得られた音声データを、必要な処理を施した後に、ＨＤＭＩ送信部２０２ａに供給する。映像・グラフィック処理回路２０６は、ＨＤＭＩ受信部２０２ｂで得られた映像（画像）データを、グラフィックスデータの重畳等の処理を施した後に、ＨＤＭＩ送信部２０２ａに供給する。
【００７２】
表示制御部２１５は、例えば、ユーザインタフェース表示あるいはオーディオアンプ２００のステータス表示等を行うために、パネル駆動回路２１６を制御し、表示パネル２１７における表示を制御する。表示パネル２１７は、例えば、ＬＣＤ(Liquid Crystal Display)、有機ＥＬパネル（Organic Electro-Luminescence Panel）等で構成されている。
【００７３】
この実施の形態において、表示パネル２１７は、ＳＰＤＩＦ受信回路２０４で得られたデジタルオーディオ信号ＳＡに係る音声出力を行う場合、表示制御部２１５（ＣＰＵ２１２）の制御のもと、第３のメタデータで示されるサンプリング周波数を、各チャネルの出力アナログオーディオ信号のサンプリング周波数として表示する。
【００７４】
また、この場合、表示パネル２１７は、表示制御部２１５（ＣＰＵ２１２）の制御のもと、第１のメタデータで示される伝送周波数または第４のメタデータで示される比率を用いて、デジタルオーディオ信号ＳＡの伝送周波数を示す表示をする。
【００７５】
図４（ｂ）は、表示パネル２１７における表示例を示している。この例は、図４（ａ）に示すように、テレビ受信機１００からオーディオアンプ２００に、サンプリング周波数が４８ｋＨｚである５．１チャネルのＭＰＥＧ−４ ＡＡＣの圧縮デジタルオーディオ信号ＳＡを４８ｋＨｚで伝送した場合の例である。
【００７６】
図４（ｂ）の「４８ｋＨｚ再生」の表示は、各チャネルの出力アナログオーディオ信号のサンプリング周波数を示している。「４８ｋＨｚ伝送」あるいは「ｘ１伝送」は、圧縮デジタルオーディオ信号ＳＡの伝送周波数を示している。ここで、「４８ｋＨｚ伝送」は第１のメタデータで示される伝送周波数を用いた表示であり、「ｘ１伝送」は第４のメタデータで示される比率を用いた表示となる。
【００７７】
図５（ｂ）も、表示パネル２１７における表示例を示している。この例は、図５（ａ）に示すように、テレビ受信機１００からオーディオアンプ２００に、サンプリング周波数が４８ｋＨｚである５．１チャネルのＭＰＥＧ−４ ＡＬＳの圧縮デジタルオーディオ信号ＳＡを９６ｋＨｚで伝送した場合の例である。
【００７８】
図５（ｂ）の「４８ｋＨｚ再生」の表示は、各チャネルの出力アナログオーディオ信号のサンプリング周波数を示している。「９６ｋＨｚ伝送」あるいは「ｘ２伝送」は、圧縮デジタルオーディオ信号ＳＡの伝送周波数を示している。ここで、「９６ｋＨｚ伝送」は第１のメタデータで示される伝送周波数を用いた表示であり、「ｘ２伝送」は第４のメタデータで示される比率を用いた表示となる。
【００７９】
なお、この実施の形態では、ＣＰＵ２１２の他に表示制御部２１５を有する例を示しているが、表示パネル２１７における表示をＣＰＵ２１２が直接制御するようにしてもよい。また、ＣＰＵ２１２と表示制御部２１５は、１つのチップになっていても、複数コアであってもよい。電源部２１８は、オーディオアンプ２００の各部に電源を供給する。この電源部２１８は、ＡＣ電源であっても、電池（蓄電池、乾電池）であってもよい。
【００８０】
図３に示すオーディオアンプ２００の動作を簡単に説明する。ＨＤＭＩ受信部２０２ｂでは、ＨＤＭＩ端子２０１ｂにＢＤプレーヤ３００からＨＤＭＩケーブル６２０を介して送信されてくる、映像（画像）データおよび音声データが取得される。この映像データおよび音声データは、それぞれ、映像・グラフィック処理回路２０６および音声処理回路２０７を介して、ＨＤＭＩ送信部２０２ａに供給され、ＨＤＭＩ端子２０２ａに接続されたＨＤＭＩケーブル６１０を介してテレビ受信機１００に送信される。
【００８１】
高速バスインタフェース２０３ａでは、ＨＤＭＩ端子２０１ａに接続されているＨＤＭＩケーブル６１０の所定ラインを通じてテレビ受信機１００から送信されてくるパーシャルＴＳが受信される。このパーシャルＴＳは、イーサネットインタフェース２１１を介してＭＰＥＧデコーダ２０５に供給される。ＭＰＥＧデコーダ２０５では、パーシャルＴＳを構成する音声データのＰＥＳパケットに対してデコード処理が施されて２チャネルあるいはマルチチャネルの各チャネルの非圧縮デジタルオーディオ信号が得られる。
【００８２】
この各チャネルの非圧縮デジタルオーディオ信号は音声処理回路２０７に供給されてＤ／Ａ変換等の必要な処理が施される。そして、ミューティングがオフ状態にあるとき、音声処理回路２０７から出力される各チャネルのアナログオーディオ信号が増幅されて音声出力端子２０９に出力される。そのため、スピーカシステム５００から２チャネルあるいはマルチチャネルの音声出力が得られる。
【００８３】
また、高速バスインタフェース２０３ａでは、ＨＤＭＩ端子２０１ａに接続されているＨＤＭＩケーブル６１０の所定ラインを通じてテレビ受信機１００から送信されてくる、デジタルオーディオ信号ＳＡを含むＳＰＤＩＦ信号が受信される。このＳＰＤＩＦ信号は、ＳＰＤＩＦ受信回路２０４に供給される。ＳＰＤＩＦ受信回路２０４では、ＳＰＤＩＦ信号が処理されて、デジタルオーディオ信号ＳＡが得られる。
【００８４】
このデジタルオーディオ信号ＳＡはＭＰＥＧデコーダ２０５に供給される。ＭＰＥＧデコーダ２０５では、デジタルオーディオ信号ＳＡに復号化処理が施され、２チャネルや５．１チャネルなどの非圧縮デジタルオーディオ信号が得られる。
【００８５】
この各チャネルの非圧縮デジタルオーディオ信号は音声処理回路２０７に供給されてＤ／Ａ変換等の必要な処理が施される。そして、ミューティングがオフ状態にあるとき、音声処理回路２０７から出力される各チャネルのアナログオーディオ信号が増幅されて音声出力端子２０９に出力される。そのため、スピーカシステム５００から２チャネルや５．１チャネルなどの音声出力が得られる。
【００８６】
なお、上述したように高速バスインタフェース２０３ａで受信され、イーサネットインタフェース２１０に供給されるパーシャルＴＳは、高速バスインタフェース２０３ｂに送信データとして供給される。そのため、これらパーシャルＴＳは、ＨＤＭＩ端子２０１ｂに接続されたＨＤＭＩケーブル６２０を介してＢＤプレーヤ３００に送信される。
【００８７】
［ＢＤプレーヤの構成例］
図６は、ＢＤプレーヤ３００の構成例を示している。このＢＤプレーヤ３００は、ＨＤＭＩ端子３０１と、ＨＤＭＩ送信部３０２と、高速バスインタフェース３０３を有している。また、このＢＤプレーヤ３００は、内部バス３０４と、ＣＰＵ（Central Processing Unit）３０５と、フラッシュＲＯＭ（Read Only Memory）３０６と、ＳＤＲＡＭ（Synchronous Random Access Memory）３０７と、表示制御部３０８と、リモコン受信部３０９と、リモコン送信機３１０を有している。
【００８８】
また、ＢＤプレーヤ３００は、記憶（記録）媒体制御インタフェース３１１と、ＢＤ(Blu-Ray Disc)ドライブ３１２ａと、ＨＤＤ（Hard disk drive）３１２ｂと、ＳＳＤ（Solid State Drive）３１２ｃと、イーサネットインタフェース（Ethernet I/F）３１３と、ネットワーク端子３１４を有している。また、ＢＤプレーヤ３００は、ＭＰＥＧ(Moving Picture Expert Group)デコーダ３１５と、グラフィック生成回路３１６と、映像出力端子３１７と、音声出力端子３１８を有している。
【００８９】
また、ＢＤプレーヤ３００は、パネル駆動回路３１９と、表示パネル３２０と、電源部３２１を有している。ＣＰＵ３０５、フラッシュＲＯＭ３０６、ＳＤＲＡＭ３０７、記憶媒体制御インタフェース３１１、イーサネットインタフェース３１３およびＭＰＥＧデコーダ３１５は、内部バス３０４に接続されている。
【００９０】
ＣＰＵ３０５は、ＢＤプレーヤ３００の各部の動作を制御する。フラッシュＲＯＭ３０６は、制御ソフトウェアの格納およびデータの保管を行う。ＳＤＲＡＭ３０７は、ＣＰＵ３０５のワークエリアを構成する。ＣＰＵ３０５は、フラッシュＲＯＭ３０６から読み出したソフトウェアやデータをＳＤＲＡＭ３０７上に展開してソフトウェアを起動させ、ＢＤプレーヤ３００の各部を制御する。
【００９１】
リモコン受信部３０９は、リモコン送信機３１０から送信されたリモーコントロール信号（リモコンコード）を受信し、ＣＰＵ３０５に供給する。ＣＰＵ３０５は、リモコンコードに従ってＢＤプレーヤ３００の各部を制御する。なお、この実施の形態では、ユーザ指示入力部としてリモートコントロール部を示しているが、ユーザ指示入力部は、その他の構成、例えば、スイッチ、ホイール、近接/タッチにより指示入力を行うタッチパネル部、マウス、キーボード、カメラで指示入力を検出するジェスチャ入力部、音声により指示入力を行う音声入力部などであってもよい。
【００９２】
ＢＤドライブ３１２aは、ディスク状記録メディアとしてのＢＤディスクに対して、コンテンツデータを記録し、あるいは、このＢＤディスクからコンテンツデータを再生する。ＨＤＤ３１２ｂは、コンテンツデータを記録し、あるいは、そのコンテンツデータを再生する。ＳＳＤ３１２ｃは、メモリカード等の半導体メモリに対して、コンテンツデータを記録し、あるいは、この半導体メモリからコンテンツデータを再生する。
【００９３】
ＢＤドライブ３１２ａ、ＨＤＤ３１２ｂ、ＳＳＤ３１２ｃは、記憶媒体制御インタフェース３１１を介して内部バス３０４に接続されている。例えば、ＢＤドライブ３１２ａやＨＤＤ３１２ｂのためのインタフェースとしてはＳＡＴＡインタフェースが使用される。また、例えば、ＳＳＤ３１２ｃのためのインタフェースとしてＳＡＴＡインタフェースあるいはＰＣＩｅインタフェースが使用される。
【００９４】
ＭＰＥＧデコーダ３１５は、ＢＤドライブ３１２ａ、ＨＤＤ３１２ｂあるいはＳＳＤ３１２ｃで再生されたＭＰＥＧ２ストリームに対してデコード処理を行って画像および音声のデータを得る。グラフィック生成回路３１６は、ＭＰＥＧデコーダ３１５で得られた画像データに対して、必要に応じてグラフィックスデータの重畳処理等を行う。映像出力端子３１７は、グラフィック生成回路３１６から出力される画像データを出力する。音声出力端子３１８は、ＭＰＥＧデコーダ３１５で得られた音声データを出力する。
【００９５】
パネル駆動回路３１９は、グラフィック生成回路３１６から出力される映像（画像）データに基づいて、表示パネル３２０を駆動する。表示制御部３０８は、グラフィクス生成回路３１６やパネル駆動回路３１９を制御して、表示パネル３２０における表示を制御する。表示パネル３２０は、例えば、ＬＣＤ(Liquid Crystal Display)、ＰＤＰ(Plasma Display Panel)有機ＥＬパネル（Organic Electro-Luminescence Panel）等で構成されている。
【００９６】
なお、この実施の形態では、ＣＰＵ３０５の他に表示制御部３０８を有する例を示しているが、表示パネル３２０における表示をＣＰＵ３０５が直接制御するようにしてもよい。また、ＣＰＵ３０５と表示制御部３０８は、１つのチップになっていても、複数コアであってもよい。電源部３２１は、ＢＤプレーヤ３００の各部に電源を供給する。この電源部３２１は、ＡＣ電源であっても、電池（蓄電池、乾電池）であってもよい。
【００９７】
ＨＤＭＩ送信部（ＨＤＭＩソース）３０２は、ＨＤＭＩに準拠した通信により、ベースバンドの画像（映像）と音声のデータを、ＨＤＭＩ端子３０１から送出する。高速バスインタフェース３０３は、ＨＤＭＩケーブルを構成するリザーブラインおよびＨＰＤラインを用いて構成される双方向通信路のインタフェースである。なお、ＨＤＭＩ送信部３０２の詳細は、後述する。
【００９８】
この高速バスインタフェース３０３は、イーサネットインタフェース３１３とＨＤＭＩ端子３０１との間に挿入されている。この高速バスインタフェース３０３は、ＣＰＵ３０５から供給される送信データを、ＨＤＭＩ端子３０１からＨＤＭＩケーブルを介して相手側の機器に送信する。また、この高速バスインタフェース３０３は、ＨＤＭＩケーブルからＨＤＭＩ端子３０１を介して相手側の機器から受信された受信データをＣＰＵ３０５に供給する。なお、高速バスインタフェース３０３の詳細は後述する。
【００９９】
図６に示すＢＤプレーヤ３００の動作を簡単に説明する。記録時には、図示されないデジタル放送チューナを介して、あるいはネットワーク端子３１４からイーサネットインタフェース３１１を介して、あるいはＨＤＭＩ端子３０１から高速バスインタフェース３０３を介して、記録すべきコンテンツデータが取得される。このコンテンツデータは、記憶媒体制御インタフェース３１１に入力され、ＢＤドライブ３１２ａによりＢＤディスクに、ＨＤＤ３１２ｂに、あるいはＳＳＤ３１２ｃにより半導体メモリに記録される。
【０１００】
再生時には、ＢＤドライブ３１２ａ、ＨＤＤ３１２ｂ、あるいはＳＳＤ３１２ｃで再生されたコンテンツデータ（ＭＰＥＧストリーム）は、記憶媒体制御インタフェース３１１を介してＭＰＥＧデコーダ３１５に供給される。ＭＰＥＧデコーダ３１５では、再生されたコンテンツデータに対してデコード処理が行われ、ベースバンドの画像および音声のデータが得られる。画像データは、グラフィック生成回路３１６を通じて映像出力端子３１７に出力される。また、音声データは、音声出力端子３１８に出力される。
【０１０１】
また、再生時には、ＭＰＥＧデコーダ３１５で得られた画像データが、ユーザ操作に応じて、グラフィック生成回路３１６を通じてパネル駆動回路３１９に供給され、表示パネル３２０に再生画像が表示される。また、ＭＰＥＧデコーダ３１５で得られた音声データが、ユーザ操作に応じて、図示しないスピーカに供給され、再生画像に対応した音声が出力される。
【０１０２】
また、この再生時に、ＭＰＥＧデコーダ３１５で得られた画像および音声のデータをＨＤＭＩのＴＭＤＳチャネルで送信する場合には、これら画像および音声のデータは、ＨＤＭＩ送信部３０２に供給されてパッキングされ、このＨＤＭＩ送信部３０２からＨＤＭＩ端子３０１に出力される。
【０１０３】
また、再生時に、ＢＤドライブ３１２ａ、ＨＤＤ３１２ｂ、あるいはＳＳＤ３１２ｃで再生されたコンテンツデータをネットワークに送出する際には、このコンテンツデータは、イーサネットインタフェース３１３を介して、ネットワーク端子３１４に出力される。同様に、再生時に、ＢＤドライブ３１２ａ、ＨＤＤ３１２ｂ、あるいはＳＳＤ３１２ｃで再生されたコンテンツデータをＨＤＭＩケーブル６２０の双方向通信路に送出する際には、当該コンテンツデータは、高速バスインタフェース３０３を介して、ＨＤＭＩ端子３０１に出力される。ここで、画像データを出力する前に、著作権保護技術、例えばＨＤＣＰ、ＤＴＣＰ、ＤＴＣＰ＋などを用いて暗号化してから伝送してもよい。
【０１０４】
「ＨＤＭＩ送信部/受信部の構成例」
図７は、図１のＡＶシステム１０における、テレビ受信機１００のＨＤＭＩ受信部１０２とオーディオアンプ２００のＨＤＭＩ送信部２０２ａの構成例を示している。なお、オーディオアンプ２００のＨＤＭＩ受信部２０２ｂとＢＤプレーヤ３００のＨＤＭＩ送信部３０２の構成例に関しては、同様の構成となるので、説明は省略する。
【０１０５】
ＨＤＭＩ送信部２０２ａは、ある垂直同期信号から次の垂直同期信号までの区間（以下、適宜、「ビデオフィールド」という）から、水平ブランキング期間および垂直ブランキング期間を除いた区間である有効画像区間（以下、適宜、「アクティブビデオ区間」という）において、ベースバンド（非圧縮）の一画面分の画像データの差動信号を、複数のチャネルで、ＨＤＭＩ受信部１０２に一方向に送信する。また、ＨＤＭＩ送信部２０２ａは、水平ブランキング期間および垂直ブランキング期間において、画像データに付随する音声データおよび制御パケット（Control Packet）、さらにその他の補助データ等に対応する差動信号を、複数のチャネルで、ＨＤＭＩ受信部１０２に一方向に送信する。
【０１０６】
ＨＤＭＩ送信部２０２ａは、ソース信号処理部７１およびＨＤＭＩトランスミッタ７２を有する。ソース信号処理部７１には、ベースバンドの非圧縮の画像（Video）および音声（Audio）のデータが供給される。ソース信号処理部７１は、供給される画像および音声のデータに必要な処理を施し、ＨＤＭＩトランスミッタ７２に供給する。また、ソース信号処理部７１は、ＨＤＭＩトランスミッタ７２との間で、必要に応じて、制御用の情報やステータスを知らせる情報（Control/Status）等をやりとりする。
【０１０７】
ＨＤＭＩトランスミッタ７２は、ソース信号処理部７１から供給される画像データを、対応する差動信号に変換し、複数のチャネルである３つのＴＭＤＳチャネル＃０，＃１，＃２で、ＨＤＭＩケーブル６１０を介して接続されているＨＤＭＩ受信部１０２に、一方向に送信する。
【０１０８】
さらに、トランスミッタ７２、ソース信号処理部７１から供給される、非圧縮の画像データに付随する音声データや制御パケットその他の補助データ（auxiliary data）と、垂直同期信号（VSYNC）、水平同期信号（HSYNC）等の制御データ（control data）とを、対応する差動信号に変換し、３つのＴＭＤＳチャネル＃０，＃１，＃２で、ＨＤＭＩケーブル６１０を介して接続されているＨＤＭＩ受信部１０２に、一方向に送信する。
【０１０９】
また、トランスミッタ７２は、３つのＴＭＤＳチャネル＃０，＃１，＃２で送信する画像データに同期したピクセルクロックを、ＴＭＤＳクロックチャネルで、ＨＤＭＩケーブル６１０を介して接続されているＨＤＭＩ受信部１０２に送信する。
【０１１０】
ＨＤＭＩ受信部１０２は、アクティブビデオ区間において、複数チャネルで、ＨＤＭＩ送信部２０２ａから一方向に送信されてくる、画像データに対応する差動信号を受信すると共に、水平ブランキング期間および垂直ブランキング期間において、複数のチャネルで、ＨＤＭＩ送信部２０２ａから送信されてくる、補助データや制御データに対応する差動信号を受信する。
【０１１１】
ＨＤＭＩ受信部１０２は、ＨＤＭＩレシーバ８１およびシンク信号処理部８２を有する。ＨＤＭＩレシーバ８１は、ＴＭＤＳチャネル＃０，＃１，＃２で、ＨＤＭＩケーブル６１０を介して接続されているＨＤＭＩ送信部２０２ａから一方向に送信されてくる、画像データに対応する差動信号と、補助データや制御データに対応する差動信号を、同じくＨＤＭＩ送信部２０２ａからＴＭＤＳクロックチャネルで送信されてくるピクセルクロックに同期して受信する。さらに、ＨＤＭＩレシーバ８１は、差動信号を、対応する画像データ、補助データ、制御データに変換し、必要に応じて、シンク信号処理部８２に供給する。
【０１１２】
シンク信号処理部８２は、ＨＤＭＩレシーバ８１から供給されるデータに必要な処理を施して出力する。その他、シンク信号処理部８２は、ＨＤＭＩレシーバ８１との間で、必要に応じて、制御用の情報やステータスを知らせる情報（Control/Status）等をやりとりする。
【０１１３】
ＨＤＭＩの伝送チャネルには、ＨＤＭＩ送信部２０２ａからＨＤＭＩ受信部１０２に対して、画像データ、補助データ、および制御データを、ピクセルクロックに同期して、一方向にシリアル伝送するための３つのＴＭＤＳチャネル＃０，＃１，＃２と、ピクセルクロックを伝送する伝送チャネルとしてのＴＭＤＳクロックチャネルとの他に、ＤＤＣ(Display Data Channel)８３、さらには、ＣＥＣライン８４と呼ばれる伝送チャネルがある。
【０１１４】
ＤＤＣ８３は、ＨＤＭＩケーブル６１０に含まれる図示しない２本のライン（信号線）からなり、ソース機器が、ＨＤＭＩケーブル６１０を介して接続されたシンク機器から、Ｅ−ＥＤＩＤ(Enhanced-Extended Display Identification)を読み出すために使用される。すなわち、シンク機器は、ＥＤＩＤＲＯＭ８５を有している。ソース機器は、ＨＤＭＩケーブル６１０を介して接続されているシンク機器から、ＥＤＩＤＲＯＭ８５が記憶しているＥ−ＥＤＩＤを、ＤＤＣ８３を介して読み出し、当該Ｅ−ＥＤＩＤに基づき、シンク機器の設定、性能を認識する。
【０１１５】
ＣＥＣライン８４は、ＨＤＭＩケーブル６１０に含まれる図示しない１本のラインからなり、ソース機器とシンク機器との間で、制御用のデータの双方向通信を行うために用いられる。
【０１１６】
また、ＨＤＭＩケーブル６１０には、ＨＰＤ(Hot Plug Detect)と呼ばれるピンに接続されるライン８６が含まれている。ソース機器は、当該ライン８６を利用して、シンク機器の接続を検出することができる。また、ＨＤＭＩケーブル６１０には、ソース機器からシンク機器に電源を供給するために用いられるライン８７が含まれている。さらに、ＨＤＭＩケーブル６１０には、リザーブライン８８が含まれている。
【０１１７】
図８は、ＴＭＤＳチャネルにおいて、横×縦が１９２０ピクセル×１０８０ラインの画像データが伝送される場合の、各種の伝送データの区間を示している。ＨＤＭＩの３つのＴＭＤＳチャネルで伝送データが伝送されるビデオフィールド（Video Field）には、伝送データの種類に応じて、ビデオデータ区間２４（Video Data Period）、データアイランド区間２５（Data Island Period）、およびコントロール区間２６（Control Period）の３種類の区間が存在する。
【０１１８】
ここで、ビデオフィールド区間は、ある垂直同期信号の立ち上がりエッジ（Active Edge）から次の垂直同期信号の立ち上がりエッジまでの区間であり、水平帰線期間２２（Horizontal Blanking）、垂直帰線期間２３（Vertical Blanking）、並びに、ビデオフィールド区間から、水平帰線期間および垂直帰線期間を除いた区間である有効画素区間２１（Active Video）に分けられる。
【０１１９】
ビデオデータ区間２４は、有効画素区間２１に割り当てられる。このビデオデータ区間２４では、非圧縮の１画面分の画像データを構成する１９２０ピクセル（画素）×１０８０ライン分の有効画素（Active Pixel）のデータが伝送される。データアイランド区間２５およびコントロール区間２６は、水平帰線期間２２および垂直帰線期間２３に割り当てられる。このデータアイランド区間２５およびコントロール区間２６では、補助データ（Auxiliary Data）が伝送される。
【０１２０】
すなわち、データアイランド区間２５は、水平帰線期間２２と垂直帰線期間２３の一部分に割り当てられている。このデータアイランド区間２５では、補助データのうち、制御に関係しないデータである、例えば、音声データのパケット等が伝送される。コントロール区間２６は、水平帰線期間２２と垂直帰線期間２３の他の部分に割り当てられている。このコントロール区間２６では、補助データのうちの、制御に関係するデータである、例えば、垂直同期信号および水平同期信号、制御パケット等が伝送される。
【０１２１】
図９は、ＨＤＭＩコネクタのピン配列を示している。このピン配列は、タイプＡ（type-A）の例である。ＴＭＤＳチャネル＃ｉの差動信号であるＴＭＤＳ  Ｄａｔａ＃ｉ＋とＴＭＤＳ  Ｄａｔａ＃ｉ−が伝送される差動線である２本のラインは、ＴＭＤＳ  Ｄａｔａ＃ｉ＋が割り当てられているピン（ピン番号が１，４，７のピン）と、ＴＭＤＳ  Ｄａｔａ＃ｉ−が割り当てられているピン（ピン番号が３，６，９のピン）に接続される。
【０１２２】
また、制御用のデータであるＣＥＣ信号が伝送されるＣＥＣライン８４は、ピン番号が１３であるピンに接続され、ピン番号が１４のピンは空き（Reserved）ピンとなっている。また、Ｅ−ＥＤＩＤ等のＳＤＡ(Serial Data)信号が伝送されるラインは、ピン番号が１６であるピンに接続され、ＳＤＡ信号の送受信時の同期に用いられるクロック信号であるＳＣＬ(Serial Clock)信号が伝送されるラインは、ピン番号が１５であるピンに接続される。上述のＤＤＣ８３は、ＳＤＡ信号が伝送されるラインおよびＳＣＬ信号が伝送されるラインにより構成される。
【０１２３】
また、上述したようにソース機器がシンク機器の接続を検出するためのＨＰＤライン８６は、ピン番号が１９であるピンに接続される。また、上述したように電源を供給するための電源ライン８７は、ピン番号が１８であるピンに接続される。
【０１２４】
「高速バスインタフェースの構成例」
図１０は、図１のＡＶシステム１０におけるテレビ受信機１００の高速バスインタフェース１０３の構成例を示している。イーサネットインタフェース１１５は、ＨＤＭＩケーブル６１０を構成する複数のラインのうち、リザーブラインおよびＨＰＤラインの一対のラインにより構成された伝送路を用いてＬＡＮ(Local Area Network)通信、つまりイーサネット信号の送受信を行う。ＳＰＤＩＦ送信回路１０４は、上述の一対のラインにより構成された伝送路を用いて、ＳＰＤＩＦ信号を送信する。
【０１２５】
テレビ受信機１００は、ＬＡＮ信号送信回路４４１、終端抵抗４４２、ＡＣ結合容量４４３，４４４、ＬＡＮ信号受信回路４４５、減算回路４４６、加算回路４４９，４５０および増幅器４５１を有している。これらは、これらは高速バスインタフェース１０３を構成している。また、テレビ受信機１００は、プラグ接続伝達回路１２８を構成する、チョークコイル４６１、抵抗４６２および抵抗４６３を有している。
【０１２６】
ＨＤＭＩ端子１０１の１４ピン端子５２１と１９ピン端子５２２との間には、ＡＣ結合容量４４３、終端抵抗４４２およびＡＣ結合容量４４４の直列回路が接続される。また、電源線（＋５．０Ｖ）と接地線との間には、抵抗４６２および抵抗４６３の直列回路が接続される。そして、この抵抗４６２と抵抗４６３の互いの接続点は、チョークコイル４６１を介して、１９ピン端子５２２とＡＣ結合容量４４４との接続点Ｑ４に接続される。
【０１２７】
ＡＣ結合容量４４３と終端抵抗４４２の互いの接続点Ｐ３は、加算回路４４９の出力側に接続されると共に、ＬＡＮ信号受信回路４４５の正入力側に接続される。また、ＡＣ結合容量４４４と終端抵抗４４２の互いの接続点Ｐ４は、加算回路４５０の出力側に接続されると共に、ＬＡＮ信号受信回路４４５の負入力側に接続される。
【０１２８】
加算回路４４９の一方の入力側はＬＡＮ信号送信回路４４１の正出力側に接続され、この加算回路４４９の他方の入力側にはＳＰＤＩＦ送信回路１０４から出力されるＳＰＤＩＦ信号が増幅器４５１を介して供給される。また、加算回路４５０の一方の入力側はＬＡＮ信号送信回路４４１の負出力側に接続され、この加算回路４５０の他方の入力側にはＳＰＤＩＦ送信回路１０４から出力されるＳＰＤＩＦ信号が増幅器４５１を介して供給される。
【０１２９】
ＬＡＮ信号送信回路４４１の入力側には、イーサネットインタフェース１１５から送信信号（送信データ）ＳＧ417が供給される。また、減算回路４４６の正側端子には、ＬＡＮ信号受信回路４４５の出力信号ＳＧ418が供給され、この減算回路４４６の負側端子には、送信信号ＳＧ417が供給される。この減算回路４４６では、ＬＡＮ信号受信回路４４５の出力信号ＳＧ418から送信信号ＳＧ417が減算され、受信信号（受信データ）ＳＧ419が得られる。この受信信号ＳＧ419は、リザーブラインおよびＨＰＤラインを介してＬＡＮ信号（イーサネット信号）が差動信号として送信されてくる場合には、当該ＬＡＮ信号となる。この受信信号ＳＧ419は、イーサネットインタフェース１１５に供給される。
【０１３０】
図１１は、図１のＡＶシステム１０におけるオーディオアンプ２００の高速バスインタフェース２０３ａの構成例を示している。イーサネットインタフェース２１０は、ＨＤＭＩケーブル６１０を構成する複数のラインのうち、リザーブラインおよびＨＰＤラインの一対のラインにより構成された伝送路を用いてＬＡＮ(Local Area Network)通信、つまりイーサネット信号の送受信を行う。ＳＰＤＩＦ受信回路２０４は、上述の一対のラインにより構成された伝送路を用いて、ＳＰＤＩＦ信号を受信する。
【０１３１】
オーディオアンプ２００は、ＬＡＮ信号送信回路４１１、終端抵抗４１２、ＡＣ結合容量４１３，４１４、ＬＡＮ信号受信回路４１５、減算回路４１６、加算回路４１９および増幅器４２０を有している。これらは、高速バスインタフェース２０３ａを構成している。また、オーディオアンプ２００は、プラグ接続検出回路２２１を構成する、プルダウン抵抗４３１、抵抗４３２、容量４３３および比較器４３４を有している。ここで、抵抗４３２および容量４３３は、ローパスフィルタを構成している。
【０１３２】
ＨＤＭＩ端子２０１ａの１４ピン端子５１１と１９ピン端子５１２との間には、ＡＣ結合容量４１３、終端抵抗４１２およびＡＣ結合容量４１４の直列回路が接続される。ＡＣ結合容量４１３と終端抵抗４１２の互いの接続点Ｐ１は、ＬＡＮ信号送信回路４１１の正出力側に接続されると共に、ＬＡＮ信号受信回路４１５の正入力側に接続される。
【０１３３】
ＡＣ結合容量４１４と終端抵抗４１２の互いの接続点Ｐ２は、ＬＡＮ信号送信回路４１１の負出力側に接続されると共に、ＬＡＮ信号受信回路４１５の負入力側に接続される。ＬＡＮ信号送信回路４１１の入力側には、イーサネットインタフェース２１０から送信信号（送信データ）ＳＧ411が供給される。
【０１３４】
減算回路４１６の正側端子には、ＬＡＮ信号受信回路４１５の出力信号ＳＧ412が供給され、この減算回路４１６の負側端子には、送信信号（送信データ）ＳＧ411が供給される。この減算回路４１６では、ＬＡＮ信号受信回路４１５の出力信号ＳＧ412から送信信号ＳＧ411が減算され、受信信号ＳＧ413が得られる。この受信信号ＳＧ413は、リザーブラインおよびＨＰＤラインを介して、ＬＡＮ信号（イーサネット信号）が差動信号として送信されてくる場合には、当該ＬＡＮ信号となる。この受信信号ＳＧ413は、イーサネットインタフェース２１０に供給される。
【０１３５】
ＡＣ結合容量４１４と１９ピン端子５１２との接続点Ｑ２は、プルダウン抵抗４３１を介して接地線に接続されると共に、抵抗４３２および容量４３３の直列回路を介して接地線に接続される。そして、抵抗４３２および容量４３３の互いの接続点に得られるローパスフィルタの出力信号は比較器４３４の一方の入力端子に供給される。この比較器４３４では、ローパスフィルタの出力信号が他方の入力端子に供給される基準電圧Ｖref2（＋１．４Ｖ）と比較される。この比較器４３４の出力信号ＳＧ415は、オーディオアンプ２００の図示しない制御部（ＣＰＵ）に供給される。
【０１３６】
また、ＡＣ結合容量４１３と終端抵抗４１２の互いの接続点Ｐ１は、加算回路４１９の一方の入力端子に接続される。また、ＡＣ結合容量４１４と終端抵抗４１２の互いの接続点Ｐ２は、加算回路４１９の他方の入力端子に接続される。この加算回路４１９の出力信号は、増幅器４２０を介してＳＰＤＩＦ受信回路１１５に供給される。この加算回路４１９の出力信号は、リザーブラインおよびＨＰＤラインを介して、ＳＰＤＩＦ信号が同相信号として送信されてくる場合には、当該ＳＰＤＩＦ信号となる。
【０１３７】
なお、詳細説明は省略するが、オーディオアンプ２００の高速バスインタフェース２０３ｂは、図１０に示した高速バスインタフェース１０３からＳＰＤＩＦ信号に係る部分が除かれた構成と同様となる。また、詳細説明は省略するが、ＢＤプレーヤ３００の高速バスインタフェース３０３は、図１１に示した高速バスインタフェース２０３ａからＳＰＤＩＦ信号に係る部分が除かれた構成と同様となる。
【０１３８】
「ＳＰＤＩＦ信号の詳細」
最初に、ＩＥＣ ６０９５８規格の概要について説明する。図１２は、ＩＥＣ ６０９５８規格におけるフレーム構成を示している。各フレームは２つのサブフレームから構成される。２チャネルステレオ音声の場合、１つ目のサブフレームに左チャネル信号が含まれ、２つ目のサブフレームに右チャネル信号が含まれる。
【０１３９】
サブフレームの先頭には後述するようにプリアンブルが設けられ、左チャネル信号にはプリアンブルとして「Ｍ」が、右チャネル信号にはプリアンブルとして「Ｗ」が付与される。ただし、１９２フレーム毎に先頭のプリアンブルにはブロックの開始を表す「Ｂ」が付与される。すなわち、１ブロックは１９２フレームにより構成される。ブロックは、後述するチャネルステータスを構成する単位である。
【０１４０】
図１３は、ＩＥＣ ６０９５８規格におけるサブフレーム構成を示している。サブフレームは、第０乃至第３１の計３２のタイムスロットから構成される。第０乃至第３タイムスロットは、プリアンブル（Sync preamble）を示す。このプリアンブルは、上述のように左右チャネルの区別やブロックの開始位置を表すために、「Ｍ」、「Ｗ」または「Ｂ」の何れかを示す。
【０１４１】
第４乃至第２７タイムスロットはメインデータフィールドであり、２４ビットコードレンジが採用される場合には全体がオーディオデータを表す。また、２０ビットコードレンジが採用される場合には第８乃至第２７タイムスロットがオーディオデータ（Audio sample word）を表す。後者の場合、第４乃至第７タイムスロットは追加情報（Auxiliary sample bits）として利用することができる。図示の例は、後者の場合を示している。
【０１４２】
第２８タイムスロットは、メインデータフィールドの有効フラグ（Validity flag）である。第２９タイムスロットは、ユーザデータ（User data）の１ビット分を表す。各フレームにまたがってこの第２９タイムスロットを累積することによって一連のユーザデータを構成することができる。このユーザデータのメッセージは８ビットの情報ユニット（ＩＵ：Information Unit）を単位として構成され、１つのメッセージには３乃至１２９個の情報ユニットが含まれる。
【０１４３】
情報ユニット間には０乃至８ビットの「０」が存在し得る。情報ユニットの先頭は開始ビット「１」により識別される。メッセージ内の最初の７個の情報ユニットは予約されており、８個目以降の情報ユニットにユーザは任意の情報を設定することができる。メッセージ間は８ビット以上の「０」により分割される。
【０１４４】
第３０タイムスロットは、チャネルステータス（Channel status）の１ビット分を表す。各フレームにまたがってブロック毎に第３０タイムスロットを累積することによって一連のチャネルステータスを構成することができる。なお、ブロックの先頭位置は、上述のように、「Ｂ」のプリアンブル（第０乃至第３タイムスロット）により示される。
【０１４５】
第３１タイムスロットは、パリティビット（Parity bit）である。第４乃至第３１タイムスロットに含まれる「０」および「１」の数が偶数になるように、このパリティビットが付与される。
【０１４６】
図１４は、ＩＥＣ ６０９５８規格における信号変調方式を示している。サブフレームのうちプリアンブルを除く第４乃至第３１タイムスロットがバイフェーズマーク変調される。このバイフェーズマーク変調の際には、元の信号（ソースコーディング）の２倍速のクロックが用いられる。元の信号のクロックサイクルを前半と後半に分けると、前半のクロックサイクルのエッジで、バイフェーズマーク変調の出力は必ず反転する。また、後半クロックサイクルのエッジにおいて、元の信号が「１」を示しているときには反転し、元の信号が「０」を示しているときには反転しない。これにより、バイフェーズマーク変調された信号から元の信号におけるクロック成分を抽出できることになる。
【０１４７】
図１５は、ＩＥＣ ６０９５８規格におけるプリアンブルのチャネルコーディングを示している。上述のように、サブフレームのうち第４乃至第３１タイムスロットはバイフェーズマーク変調される。一方、第０乃至第３タイムスロットのプリアンブルは通常のバイフェーズマーク変調ではなく、２倍速のクロックに同期したビットパターンとして扱われる。すなわち、第０乃至第３タイムスロットの各タイムスロットに２ビットずつ割り当てることにより、同図のような８ビットパターンを得る。
【０１４８】
直前の状態が「０」であれば、プリアンブル「Ｂ」には「１１１０１０００」が、「Ｍ」には「１１１０００１０」が、「Ｗ」には「１１００１００」がそれぞれ割り当てられる。一方、直前の状態が「１」であれば、プリアンブル「Ｂ」には「０００１０１１１」が、「Ｍ」には「０００１１１０１」が、「Ｗ」には「０００１１０１１」がそれぞれ割り当てられる。
【０１４９】
図１６は、ＩＥＣ ６０９５８・インタフェース・フォーマット（IEC 60958 interface format）を示している。図１６（ａ）は、フレーム構成を示している。１９２フレームにより１ブロックが構成され、そのブロックが連続した構成となっている。図１６（ｂ）は、各フレームが２つのサブフレームからなっていることを示している。
【０１５０】
サブフレームの先頭にはプリアンブルが設けられ、ブロックの先頭のサブフレームのプリアンブルには、ブロックの開始を表す「Ｂ」が付与される。そして、それに続く各サブフレームの先頭のプリアンブルには、「Ｗ」と「Ｍ」が交互に付与される。
【０１５１】
図１６（ｃ）は、サブフレーム構成を示している。デジタルオーディオ信号ＳＡとして圧縮デジタルオーディオ信号を含むＳＰＤＩＦ信号の場合、各サブフレームの第１２乃至第２７タイムスロットに、圧縮デジタルオーディオ信号のビットストリームが分割されて順次挿入される。
【０１５２】
「デジタルオーディオ信号の送信の詳細」
上述したように、テレビ受信機１００は、ＳＰＤＩＦ送信回路１０４から、デジタルオーディオ信号ＳＡを含むＳＰＤＩＦ信号（ＩＥＣ ６０９５８規格のデジタルオーディオ伝送信号）を、オーディオアンプ２００に送信する。このとき、ＳＰＤＩＦ送信回路１０４は、現在送信しているデジタルオーディオ信号ＳＡに、次に送信すべきデジタルオーディオ信号ＳＡに関する情報（メタデータ）を付加する。
【０１５３】
図１７は、テレビ受信機１００におけるデジタルオーディオ信号ＳＡの送信系１００Ａを概略的に示している。この図１７において、図２と対応する部分には、同一符号を付して示している。ＭＰＥＧデコーダ１０７から得られる２チャネルや５．１チャネルなどのデジタルオーディオ信号ＳＡは、ＳＰＤＩＦ送信回路（送信ＬＳＩ）１０４に供給される。ＳＰＤＩＦ送信回路１０４では、このデジタルオーディオ信号ＳＡを含むＳＰＤＩＦ信号が生成されて送信される。
【０１５４】
ここで、ＳＰＤＩＦ送信回路１０４に供給されるデジタルオーディオ信号ＳＡは、ＬＰＣＭ信号や圧縮デジタルオーディオ信号である。圧縮デジタルオーディオ信号としては、例えば、ＭＰＥＧ−４ ＡＡＣ，ＭＰＥＧ−４  ＡＬＳなどが想定される。ＳＰＤＩＦ送信回路１０４では、現在送信しているデジタルオーディオ信号ＳＡに、次に送信すべきデジタルオーディオ信号ＳＡに関する、オーディオフォーマットなどの情報（メタデータ）が付加される。
【０１５５】
この場合、ＣＰＵ１２１からＳＰＤＩＦ送信回路１０４に、この情報を含むユーザデータメッセージ（User data message）が供給される。ＣＰＵ１２１は、次に送信すべきデジタルオーディオ信号ＳＡのオーディオフォーマットを事前に知っておく必要がある。ＣＰＵ１２１は、例えば、送出するＭＰＥＧストリームの中のＭＰＴ（MMT Package Table）を取得することで、それが可能である。
【０１５６】
ユーザデータメッセージは、ＩＥＣ ６０９５８−１にて規定するユーザデータビット（User data bit）内に規定される。このユーザデータビットはＩＥＣ ６０９５８−３において民生用の使用法が規定されており、「ＳＭＰＴＥ ｔｉｍｅ ｃｏｄｅ」、「Ｌａｔｅｎｃｙ」、「Ｌｏｕｄｎｅｓｓ」などのユーザデータメッセージの規定が存在している。
【０１５７】
ユーザデータビットは最少単位が情報ユニット（ＩＵ：information units)であり、論理“１”のスタートビットと、Ｑ, Ｒ，Ｓ，Ｔ，Ｕ，Ｖ，Ｗとして参照される各1ビットのデータが７つ、トータル８ビット長である。複数の情報ユニットをまとめてユーザデータメッセージが構成される。
【０１５８】
最初の情報ユニットの「ＲＳＴ」の３ビットでユーザデータメッセージの種類が規定されている。例えば、“１１０”は「ＳＭＰＴＥ ｔｉｍｅ ｃｏｄｅ」を示し、“１１０”は「Ｌａｔｅｎｃｙ」を示し、“１１１”は「Ｌｏｕｄｎｅｓｓ」を示すように規定されている。例えば、“１０１”が今回のユーザデータメッセージを示すように規定することができる。
【０１５９】
図１８は、今回のユーザデータメッセージの構成例（Syntax）を示している。なお、図示においては、ユーザ情報部のみを示している。このユーザ情報部は、４個の情報ユニット（ＩＵ）で構成されている。第１のＩＵの第５ビットから第０ビットに、「ＩＥＣ ６０９５８ Ｆｒａｍｅ Ｒａｔｅ」の情報が配置されている。この情報は、ＬＰＣＭ/圧縮デジタルオーディオ伝送周波数を示す。
【０１６０】
このＬＰＣＭ/圧縮デジタルオーディオ伝送周波数は、ＩＥＣ ６０９５８−３デジタルオーディオ信号（ＳＰＤＦ信号）を受信した際にＰＬＬがロックする基本周波数である。実際にＰＬＬがロックする周波数は、メタデータを付加し変調を施すので、このＬＰＣＭ/圧縮デジタルオーディオ伝送周波数の１２８倍である。つまり、「ＩＥＣ ６０９５８ Ｆｒａｍｅ Ｒａｔｅ」で示される伝送周波数が４８ｋＨｚの場合は、６．１４４ＭＨｚでＰＬＬが実際にロックする。これは、ＩＥＣ６０９５８−１にて規定されている。
【０１６１】
また、第２のＩＵの第５ビットから第２ビットに、「Ｏｒｉｇｉｎａｌ ｓａｍｐｌｉｎｇ ｆｒｅｑｕｅｎｃｙ」の情報が配置されている。この情報は、アナログ信号に変換する際に使用されるサンプリング周波数を示す。また、第２のＩＵの第１ビットから第０ビットと、第３のＩＵの第５ビットから第４ビットに、「Ａｕｄｉｏ ｓａｍｐｌｉｎｇ ｆｒｅｑｕｅｎｃｙ ｃｏｅｆｆｉｃｉｅｎｔ」の情報が配置されている。この情報は、伝送周波数のサンプリング周波数に対する比率を示す。また、第３のＩＵの第３ビットから第０ビットと、第４のＩＵの第５ビットから第３ビットに、「Ｄａｔａ Ｔｙｐｅ」の情報が配置されている。この情報は、ＬＰＣＭや圧縮コーデックのタイプを示す。
【０１６２】
次世代のテレビ放送においては、４８ｋＨｚサンプリングで５．１チャネルのＭＰＥＧ−４ ＡＡＣを最大１．４Ｍｂｐｓで放送することが計画されている。これは、ＩＥＣ ６０９５８ Ｆｒａｍｅ Ｒａｔｅ＝４８ｋＨｚで出力される。次に送信すべきデジタルオーディオ信号ＳＡが当該ＭＰＥＧ−４ ＡＡＣであるとき、ユーザデータメッセージ内の各情報は以下の通りとなる。
【０１６３】
「IEC 60958 Frame Rate」 ：４８ｋＨｚ
「Original sampling frequency」 ：４８ｋＨｚ
「Audio sampling frequency coefficient」 ：ｘ１
「Data Type 」：ＭＰＥＧ−４ ＡＡＣ
【０１６４】
また、次世代のテレビ放送においては、ＭＰＥＧ−４ ＡＬＳが新たに採用される。この場合、４８ｋＨｚサンプリングで５．１チャネルのＭＰＥＧ−４ ＡＬＳは、ＩＥＣ ６０９５８ Ｆｒａｍｅ Ｒａｔｅ＝９６ｋＨｚで出力される。次に送信すべきデジタルオーディオ信号ＳＡが当該ＭＰＥＧ−４ ＡＬＳであるとき、ユーザデータメッセージ内の各情報は以下の通りとなる。
【０１６５】
「IEC 60958 Frame Rate」 ：９６ｋＨｚ
「Original sampling frequency」 ：４８ｋＨｚ
「Audio sampling frequency coefficient」 ：ｘ２
「Data Type 」：ＭＰＥＧ−４ ＡＬＳ
【０１６６】
また、上述したように、オーディオアンプ２００は、テレビ受信機１００から送信されてくるＳＰＤＩＦ信号（ＩＥＣ ６０９５８規格のデジタルオーディオ伝送信号）をＳＰＤＩＦ受信回路２０４で受信し、このＳＰＤＩＦ信号に含まれているデジタルオーディオ信号ＳＡを取得する。ＭＰＥＧデコーダ２０５は、ＳＰＤＩＦ信号に含まれているデジタルオーディオ信号ＳＡに復号化処理を施し、２チャネルや５．１チャネルなどの非圧縮デジタルオーディオ信号を得る。この場合、ＭＰＥＧデコーダ２０５は、現在受信されているデジタルオーディオ信号ＳＡに付加されている、次に受信すべきデジタルオーディオ信号ＳＡに関する情報（メタデータ）に基づいて、当該次に受信されるデジタルオーディオ信号ＳＡを処理する。
【０１６７】
図１９は、オーディオアンプ２００におけるデジタルオーディオ信号ＳＡの受信系２００Ａを概略的に示している。この図１９において、図３と対応する部分には、同一符号を付して示している。ＳＰＤＩＦ受信回路２０４で得られたデジタルオーディオ信号ＳＡは、ＭＰＥＧデコーダ２０５に供給される。ＭＰＥＧデコーダ２０５では、デジタルオーディオ信号ＳＡに復号化処理が施され、２チャネルや５．１チャネルなどの非圧縮デジタルオーディオ信号が得られる。この非圧縮デジタルオーディオ信号は、音声処理回路２０７/音声増幅回路２０８でアナログ信号に変換され、さらに増幅された後に、スピーカシステム５００に供給される。
【０１６８】
ＳＰＤＩＦ回路２０４で現在受信されているデジタルオーディオ信号ＳＡには、次に、受信されるデジタルオーディオ信号ＳＡに関する情報（メタデータ）が付加されている。ＳＰＤＩＦ回路２０４では、この情報を含むユーザデータメッセージ（User data message）が取得され、ＣＰＵ２１２に供給される。
【０１６９】
ＭＰＥＧデコーダ２０５の処理は、ＰＬＬ（Phase Locked Loop）回路２３１で得られる、デジタルオーディオ信号ＳＡに同期したクロック信号を用いて処理される。また、ＭＰＥＧデコーダ２０５は、ＤＳＰ（digital signal processor）で構成され、デジタルオーディオ信号ＳＡのデータタイプに応じたプログラム（デコーディングプログラム）がプログラム格納部２３２からローディングされて使用される。
【０１７０】
受信デジタルオーディオ信号ＳＡが現在のものから次のものへと切り替わる場合、次のデジタルオーディオ信号ＳＡの受信前に上述したようにＳＰＤＩＦ受信回路２０４で抽出されたユーザデータメッセージに含まれる情報に基づいてＭＰＥＧデコーダ２０５における復号化処理の準備（事前準備）がなされ、次のデジタルオーディオ信号ＳＡの受信が開始されたら直ちにそれに対応した復号化処理が行われる。
【０１７１】
上述したように、ＭＰＥＧデコーダ２０５の処理はデジタルオーディオ信号ＳＡに同期したクロック信号を用いて処理される。そのため、準備では、ＰＬＬ２３１の中心周波数を、「ＩＥＣ ６０９５８ Ｆｒａｍｅ Ｒａｔｅ」で示される伝送周波数の１２８倍の周波数に設定される。また、準備では、「Ｄａｔａ  Ｔｙｐｅ」で示されるデータタイプのプログラムが、プログラム格納部２３２からＭＰＥＧデコーダ２０５にローディングされる。
【０１７２】
ここで、ＭＰＥＧデコーダ２０５がパラレル処理を可能とする場合には、ＳＰＤＩＦ受信回路２０４でユーザデータメッセージが抽出されたら、現在受信されているオーディオ信号ＳＡの終了を待つことなく、このユーザデータメッセージに含まれる情報に基づいて、次に受信されるデジタルオーディオ信号ＳＡの復号化処理のための準備が開始される。一方、ＭＰＥＧデコーダ２０５がパラレル処理を可能としない場合には、ＳＰＤＩＦ受信回路２０４でユーザデータメッセージが抽出された後、現在受信されているオーディオ信号ＳＡの終了時点から、このユーザデータメッセージに含まれる情報に基づいて、次に受信されるデジタルオーディオ信号ＳＡの復号化処理のための準備が開始される。例えば、ＭＰＥＧ−４ ＡＡＣからＭＰＥＧ−４ ＡＬＳに切り替わる場合、受信ＰＬＬの中心周波数が４８ｋＨｚから９６ｋＨｚに設定変更され、また、ＭＰＥＧデコーダ２０５におけるデコーディングプログラムがＭＰＥＧ−４ ＡＡＣ用からＭＰＥＧ−４ ＡＬＳ用にローディングし直される。
【０１７３】
このようにデジタルオーディオ信号ＳＡの受信前にＳＰＤＩＦ受信回路２０４で抽出されたユーザデータメッセージに含まれる情報に基づいてＭＰＥＧデコーダ２０５における復号化処理の準備がなされることで、次のデジタルオーディオ信号ＳＡに対する復号化処理は、当該次のデジタルオーディオ信号ＳＡの頭から適切に行われるようになり、頭切れを防止することが可能となる。
【０１７４】
図２０は、デジタルオーディオ信号ＳＡに情報が付加されない場合の例を示している。図２０（ａ）は、送信装置で放送信号から得られたデジタルオーディオ信号ＳＡの状態を示している。切り替わりポイントＳＰまではオーディオ素材Ａであり、この切り替わりポイントＳＰからはオーディオ素材Ｂとなる。図２０（ｂ）は、送信装置からオーディアンプに送信されるデジタルオーディオ信号ＳＡを示している。この場合、送信装置から外部に出されるので多少遅延がある。
【０１７５】
図２０（ｃ）は、受信装置における再生出力を示している。この場合、オーディオ素材の受信終了に続いてオーディオ素材Ｂの受信が開始されるが、この開始時からオーディオ素材Ｂに対する復号化処理のための準備が行われ、準備が済み次第その処理が行われる。そのため、オーディオ素材Ｂに頭切れが発生する。図示の例においては、「１」の部分が切れている。
【０１７６】
図２１は、デジタルオーディオ信号ＳＡに情報が付加される場合であって、受信装置２００のＭＰＥＧデコーダ２０５がパラレル処理を可能とする場合の例を示している。図２１（ａ）は、送信装置１００で放送信号から得られたデジタルオーディオ信号ＳＡの状態を示している。切り替わりポイントＳＰまではオーディオ素材Ａであり、この切り替わりポイントＳＰからはオーディオ素材Ｂとなる。
【０１７７】
図２１（ｂ）は、送信装置１００からオーディアンプ２００に送信されるデジタルオーディオ信号ＳＡを示している。この場合、送信装置から外部に出されるので多少遅延がある。このようにオーディオアンプ２００に送信されるデジタルオーディオ信号ＳＡにおいては、オーディオ素材Ａには、その終わりから所定期間だけ前の位置に、オーディオ素材Ｂに関する情報が付加される。
【０１７８】
図２１（ｃ）は、受信装置２００の内部処理を示している。オーディオ素材Ａの受信処理が終了するのを待つことなく、オーディオ素材Ａから抽出された情報に基づいて、オーディオ素材Ｂに対する復号化処理のための準備が行われる。そして、オーディオ素材Ｂの受信が開始されたら、直ちに、その処理が行われる。図２１（ｄ）は、受信装置における再生出力を示している。この場合、オーディオ素材Ｂに対する復号化処理のための準備が予め行わることから、オーディオ素材Ｂの再生出力に頭切れが発生することが回避される。
【０１７９】
図２２は、デジタルオーディオ信号ＳＡに情報が付加される場合であって、受信装置２００のＭＰＥＧデコーダ２０５がパラレル処理を可能としない場合の例を示している。図２２（ａ）は、送信装置１００で放送信号から得られたデジタルオーディオ信号ＳＡの状態を示している。切り替わりポイントＳＰまではオーディオ素材Ａであり、この切り替わりポイントＳＰからはオーディオ素材Ｂとなる。なお、この場合、この切り替わりポイントＳＰの前後の所定期間は無音部分（ミュート部分）とされる。図示の例においては、「０」の部分が無音部分である。
【０１８０】
図２２（ｂ）は、送信装置１００からオーディアンプ２００に送信されるデジタルオーディオ信号ＳＡを示している。この場合、送信装置から外部に出されるので多少遅延がある。このようにオーディオアンプ２００に送信されるデジタルオーディオ信号ＳＡにおいては、オーディオ素材Ａには、その終わりから所定期間だけ前の位置に、オーディオ素材Ｂに関する情報が付加される。
【０１８１】
図２２（ｃ）は、受信装置２００の内部処理を示している。オーディオ素材Ａの受信処理が終了するのを待って、オーディオ素材Ａから抽出された情報に基づいて、オーディオ素材Ｂに対する復号化処理のための準備が行われる。そして、オーディオ素材Ｂの受信が開始されたら、直ちに、その処理が行われる。図２２（ｄ）は、受信装置における再生出力を示している。この場合、オーディオ素材Ｂに対する復号化処理のための準備が予め行わることから、オーディオ素材Ｂの再生出力に頭切れが発生することが回避される。ただし、この場合には、オーディオ素材Ａとオーディオ素材Ｂとの間に、無音部分（ミュート部分）が存在する。
【０１８２】
図２３は、例えば、ＭＰＥＧ−４ ＡＡＣのオーディオ素材ＡからＭＰＥＧ−４ ＡＬＳのオーディオ素材Ｂに切り替えて送信する場合における制御フローを示している。まず、ＣＰＵ１２１は、ステップＳＴ１において、ＭＰＥＧ−４ ＡＡＣのオーディオ素材Ａの送信を開始する。次に、ＣＰＵ１２１は、ステップＳＴ２において、フォーマット変化、すなわち次に送信すべきＭＰＥＧ−４ ＡＬＳのオーディオ素材Ｂのオーディオフォーマットを事前検知する。この場合、ＣＰＵ１２１は、例えば、ＭＰＥＧ内のＭＰＴでフォーマット変化を事前検知する。
【０１８３】
次に、ＣＰＵ１２１は、ステップＳＴ３において、ユーザデータメッセージ（User data message）に後続フォーマット情報を格納してオーディオ出力信号に埋め込む。次に、ＣＰＵ１２１は、ステップＳＴ４において、継続してＭＰＥＧ−４ ＡＡＣのオーディオ素材Ａを送信する。
【０１８４】
次に、ＣＰＵ１２１は、ステップＳＴ５において、送信フォーマット変更準備をする。場合によっては、ＭＰＥＧ−４ ＡＡＣのオーディオ素材Ａの終了からＭＰＥＧ−４ ＡＬＳのオーディオ素材Ｂの開始までの間にギャップを発生させる。次に、ＣＰＵ１２１は、ステップＳＴ６において、ＭＰＥＧ−４ ＡＬＳのオーディオ素材Ｂの送信を開始する。
【０１８５】
上述したように、図１に示すＡＶシステム１０においては、テレビ受信機１００は、オーディオアンプ２００にデジタルオーディオ信号ＳＡを送信する際に、現在送信しているデジタルオーディオ信号ＳＡに、次に送信すべきデジタルオーディオ信号に関する情報を付加する。そのため、複数種類のＬＰＣＭ信号/圧縮デジタルオーディオ信号の伝送において、それらを切り替え、良好にオーディオ再生を行い得る。
【０１８６】
＜２．変形例＞
なお、上述実施の形態においては、送信側がテレビ受信機１００であり、オーディオアンプ２００に送信するデジタルオーディオ信号ＳＡを放送信号から取得する例を示した。しかし、本技術は、送信側がメディア再生機であり、オーディオアンプ２００に送信するデジタルオーディオ信号ＳＡをメディアから読み出して得る例にも同様に適用し得るものである。
【０１８７】
図２４は、メディア再生機におけるデジタルオーディオ信号ＳＡの送信系３００Ａを概略的に示している。この図２４において、図１７と対応する部分には、同一符号を付し、適宜その詳細説明は省略する。メディアリーダ１３１は、例えばＢＤ−ＲＯＭなどのディスクメディア１３２からデジタルオーディオ信号ＳＡを読み出し、ＭＰＥＧデコーダ１０７を通じて、ＳＰＤＩＦ送信回路１０４に送る。
【０１８８】
ＭＰＥＧデコーダ１０７からＣＰＵ１２１にはリードポジション（時間）情報が送られ、ＣＰＵ１２１は、リードポジション（時間）情報に基づいて、メディアリーダ１３１を制御して、メディア１３２に書き込まれているコンテンツ情報を取得する。ＣＰＵ１２１は、このような先読みにより、次に送信すべきデジタルオーディオ信号ＳＡのオーディオフォーマットを事前に知ることができる。ＣＰＵ１２１からＳＰＤＩＦ送信回路１０４に、次に送信すべきデジタルオーディオ信号ＳＡに関する情報（メタデータ）を含むユーザデータメッセージ（User data message）が供給される。
【０１８９】
なお、上述実施の形態においては、ユーザデータメッセージに、「ＩＥＣ ６０９５８ Ｆｒａｍｅ Ｒａｔｅ」、「Ｏｒｉｇｉｎａｌ ｓａｍｐｌｉｎｇ ｆｒｅｑｕｅｎｃｙ」、「Ａｕｄｉｏ ｓａｍｐｌｉｎｇ ｆｒｅｑｕｅｎｃｙ ｃｏｅｆｆｉｃｉｅｎｔ」および「Ｄａｔａ Ｔｙｐｅ」の４つの情報が含まれる例を示した（図１８参照）。
【０１９０】
しかし、ユーザデータメッセージに、さらに別な情報、例えばデジタルオーディオ信号ＳＡに暗号化を施して送信する場合、その暗号化のモードを示す情報、次に伝送すべきデジタルオーディオ信号ＳＡの開始タイミングを示す情報などを含めることも可能である。
【０１９１】
図２５は、ユーザデータメッセージの他の構成例（Syntax）を示している。なお、図示においては、ユーザ情報部のみを示している。このユーザ情報部は、１６個の情報ユニット（ＩＵ）で構成されている。第１から第４のＩＵには、図１８に示すユーザデータメッセージと同様に、「ＩＥＣ ６０９５８ Ｆｒａｍｅ Ｒａｔｅ」、「Ｏｒｉｇｉｎａｌ ｓａｍｐｌｉｎｇ ｆｒｅｑｕｅｎｃｙ」、「Ａｕｄｉｏ ｓａｍｐｌｉｎｇ ｆｒｅｑｕｅｎｃｙ ｃｏｅｆｆｉｃｉｅｎｔ」および「Ｄａｔａ Ｔｙｐｅ」の４つの情報が配置されている。
【０１９２】
第４のＩＵの第２ビットから第０ビットに、「暗号化モード」の情報が配置されている。また、第５から第１５のＩＵに、次に送信すべきデジタルオーディオ信号ＳＡの開始タイミングを示す情報として、開始タイミングの時刻を示すタイムコードが配置されている。このタイムコードは、６４ビット精度のＵＴＣ（Coordinated Universal Time：協定世界時）を想定している。
【０１９３】
なお、次に送信すべきデジタルオーディオ信号ＳＡの開始タイミングを示す情報として、タイムコードの代わりに、開始タイミングまでの時間を示す情報を配置することも考えられる。その場合には、ユーザデータメッセージを送信する度に、当該時間を適切にデクリメントすることが望ましい。上述していないが、ユーザデータメッセージの送信は、デジタルオーディオ信号ＳＡの切り替わりのタイミング付近の１回だけでなく、複数回の送信がされてもよい。
【０１９４】
上述したようにユーザデータメッセージに「暗号化モード」の情報が配置されるのは、デジタルオーディオ信号ＳＡが暗号化されて送信される場合である。図２６は、デジタルオーディオ信号ＳＡが暗号化されて送信される場合におけるテレビ受信機１００の送信系１００Ａ´の構成例を示している。この図２６において、図１７と対応する部分には、同一符号を付して示している。ＭＰＥＧデコーダ１０７からＳＰＤＩＦ送信回路１０４に送られるデジタルオーディオ信号ＳＡは、暗号部１４１において、暗号化される。
【０１９５】
図２７は、デジタルオーディオ信号ＳＡが暗号化されて送信されてくる場合におけるオーディオアンプ１００の受信系２００Ａ´の構成例を示している。この図２７において、図１９と対応する部分には、同一符号を付して示している。この場合、ＳＰＤＩＦ受信回路２０４で得られた暗号化されたデジタルオーディオ信号ＳＡは、復号部２４１で復号化された後に、ＭＰＥＧデコーダ２０５に供給される。この復号部２４１における復号化処理は、ユーザデータメッセージに含まれている「暗号化モード」の情報に基づいて、その暗号化モードに応じたものとされる。
【０１９６】
なお、上述したようにユーザデータメッセージに配置されている次に送信すべきデジタルオーディオ信号ＳＡの開始タイミングを示す情報の利用例としては以下が考えられる。例えば、受信装置の制御がマルチタスクで実行されている場合、切り替わりまでの時間を勘案して、音声デコーダを切り替えるタスクの優先度を変更したりして対応できる。
【０１９７】
また、上述実施の形態においては、デジタルオーディオ信号ＳＡに情報を付加する場合に任意のタイミングで送出し得るユーザデータを用いたものであるが、時間分解能が粗くてもよい場合は、チャネルステータスの空き領域に情報を定義することも可能である。
【０１９８】
また、上述実施の形態においては、テレビ受信機１００からオーディオアンプ２００にＳＰＤＩＦ信号を伝送するためにＨＤＭＩ ＡＲＣを利用する例を示した。つまり、ＩＥＣ ６０９５８伝送路としてＨＤＭＩ ＡＲＣを利用する例であった。本技術は、ＩＥＣ ６０９５８伝送路として同軸ケーブルや光ケーブルを利用する例にも同様に適用できる。
【０１９９】
図２８は、ＩＥＣ ６０９５８伝送路として光ケーブルを利用した場合におけるＡＶシステム１０Ａの構成例を示している。この図２８において、図１と対応する部分には同一符号を付し、その詳細説明は省略する。このＡＶシステム１０Ａにおいて、テレビ受信機１００は光インタフェース１２９を備えており、オーディオアンプ２００は光インタフェース２２２を備えている。そして、テレビ受信機１００のＳＰＤＩＦ送信回路１０４から出力されるＳＰＤＩＦ信号は、光インタフェース１２９、光ケーブル６３０および光インタフェース２２２を介してオーディオアンプ２００のＳＰＤＩＦ受信回路２０４に伝送される。
【０２００】
なお、上述では、ＩＥＣ ６０９５８伝送路としてＨＤＭＩ ＡＲＣを利用する例（図１参照）と、ＩＥＣ ６０９５８伝送路として同軸ケーブルや光ケーブルを利用する例（図２８参照）に言及した。
【０２０１】
その他に、ＩＥＣ ６０９５８伝送路として、ＨＤＭＩ伝送路を利用する例も考えられる。この場合、ＳＰＤＩＦ信号（IEC 60958信号）はオーディオサンプルパケット（audio sample packet）にマッピングされ、ビデオ伝送と同じ順方向に伝送される。同様に、ＩＥＣ ６０９５８伝送路として、ＩＥＣ ６１８８３−６伝送路、ＭＨＬ伝送路、ディスプレイポート伝送路（ＤＰ伝送路）などを利用する例も考えられる。これらの場合も、ＳＰＤＩＦ信号（IEC 60958信号）はオーディオサンプルパケット（audio sample packet）にマッピングされ、ビデオ伝送と同じ順方向に伝送される。
【０２０２】
また、技術は、以下のような構成もとることができる。
（１）デジタルオーディオ信号を所定の伝送路を介して外部機器に送信する送信部と、
現在送信しているデジタルオーディオ信号に、次に送信すべきデジタルオーディオ信号に関する情報を付加する情報付加部を備える
送信装置。
（２）上記情報には、
上記デジタルオーディオ信号の伝送周波数を示す第１のメタデータと、
上記デジタルオーディオ信号のデータタイプを示す第２のメタデータが含まれる
前記（１）に記載の送信装置。
（３）上記情報には、
アナログ信号に変換する際に使用されるサンプリング周波数を示す第３のメタデータと、
上記伝送周波数の上記サンプリング周波数に対する比率を示す第４のメタデータがさらに含まれる
前記（２）に記載の送信装置。
（４）上記情報には、
上記次に送信すべきデジタルオーディオ信号の送信開始タイミングを示す時間情報が含まれる
前記（１）から（３）のいずれかに記載の送信装置。
（５）上記時間情報は、上記送信開始タイミングの時刻を示すタイムコードである
前記（４）に記載の送信装置。
（６）上記時間情報は、上記送信開始タイミングまでの時間を示す情報である
前記（４）に記載の送信装置。
（７）上記情報には、
上記デジタルオーディオ信号が暗号化されて送信されるとき、該暗号化のモードを示す情報が含まれる
前記（１）から（６）のいずれかに記載の送信装置。
（８）上記送信部は、上記デジタルオーディオ信号を単位データ毎に順次送信し、
上記情報付加部は、
連続する所定数の単位データのユーザデータビットを用いて上記情報を付加する
前記（１）から（７）のいずれかに記載の送信装置。
（９）受信した放送信号から上記デジタルオーディオ信号を得る放送受信部をさらに備え、
上記情報付加部は、上記情報を、上記放送信号から取得する
前記（１）から（８）のいずれかに記載の送信装置。
（１０）メディアから上記デジタルオーディオ信号を読み出して得るメディア読み出し部をさらに備え、
上記情報付加部は、上記情報を、上記メディアから取得する
前記（１）から（８）のいずれかに記載の送信装置。
（１１）上記送信部は、
上記次に送信すべきデジタルオーディオ信号の送信を、現在送信しているデジタルオーディオ信号の送信終了時点から一定時間を経過した時点で開始する
前記（１）から（１０）のいずれかに記載の送信装置。
（１２）上記所定伝送路は、同軸ケーブル、光ケーブル、イーサネット（ＩＥＣ ６１８８３−６）ケーブル、ＨＤＭＩケーブル、ＭＨＬケーブルまたはディスプレイポートケーブルである
前記（１）から（１１）のいずれかに記載の送信装置。
（１３）送信部により、デジタルオーディオ信号を所定の伝送路を介して外部機器に送信する送信ステップと、
現在送信しているデジタルオーディオ信号に、次に送信すべきデジタルオーディオ信号に関する情報を付加する情報付加ステップを有する
送信方法。
（１４）デジタルオーディオ信号を外部機器から所定の伝送路を介して受信する受信部と、
上記デジタルオーディオ信号を処理する処理部を備え、
現在受信しているデジタルオーディオ信号には、次に受信されるデジタルオーディオ信号に関する情報が付加されており、
上記処理部は、上記次に受信されるデジタルオーディオ信号を、上記情報に基づいて処理する
受信装置。
（１５）上記情報には、上記デジタルオーディオ信号の伝送周波数を示す第１のメタデータと、上記デジタルオーディオ信号のデータタイプを示す第２のメタデータが含まれており、
上記処理部は、
上記第１のメタデータで示される伝送周波数に応じた周波数にＰＬＬをロックし、該ＰＬＬでロックされた周波数のクロック信号を用いて、上記次に受信されるデジタルオーディオ信号に、上記第２のメタデータで示されるデータタイプに応じた処理を施す
前記（１４）に記載の受信装置。
（１６）上記処理部は、
上記現在受信しているデジタルオーディオ信号に付加されている上記情報が抽出された時点から、該情報に基づいて上記次に受信されるデジタルオーディオ信号を処理するための準備を開始する
前記（１４）または（１５）に記載の受信装置。
（１７）上記処理部は、
上記現在受信しているデジタルオーディオ信号に付加されている上記情報が抽出された後に、上記現在のデジタルオーディオ信号の送信終了時点から、上記情報に基づいて上記次に受信されるデジタルオーディオ信号を処理するための準備を開始する
前記（１４）または（１５）に記載の受信装置。
（１８）上記所定伝送路は、同軸ケーブル、光ケーブル、イーサネット（ＩＥＣ ６１８８３−６）ケーブル、ＨＤＭＩケーブル、ＭＨＬケーブルまたはディスプレイポートケーブルである
前記（１４）から（１７）のいずれかに記載の受信装置。
（１９）受信部により、デジタルオーディオ信号を外部機器から所定の伝送路を介して受信する受信ステップと、
上記デジタルオーディオ信号を処理する処理ステップを有し、
上記現在受信しているデジタルオーディオ信号には、次に受信されるデジタルオーディオ信号に関する情報が付加されており、
上記処理ステップでは、上記次に受信されるデジタルオーディオ信号を、上記情報に基づいて処理する
受信方法。
【符号の説明】
【０２０３】
１０，１０Ａ・・・・ＡＶシステム
１００・・・テレビ受信機
１００Ａ，１００Ａ´・・・デジタルオーディオ信号の送信系
１０１・・・ＨＤＭＩ端子
１０２・・・ＨＤＭＩ受信部
１０３・・・高速バスインタフェース
１０４・・・ＳＰＤＩＦ送信回路
１０５・・・アンテナ端子
１０６・・・デジタル放送チューナ
１０７・・・ＭＰＥＧデコーダ
１０８・・・映像信号処理回路
１０９・・・グラフィック生成回路
１１０・・・パネル駆動回路
１１１・・・表示パネル
１１２・・・音声信号処理回路
１１３・・・音声増幅回路
１１４・・・スピーカ
１１５・・・イーサネットインタフェース
１１６・・・ネットワーク端子
１２０・・・内部バス
１２１・・・ＣＰＵ
１２２・・・フラッシュＲＯＭ
１２３・・・ＤＲＡＭ
１２４・・・表示制御部
１２５・・・リモコン受信部
１２６・・・リモコン送信機
１２７・・・電源部
１２８・・・プラグ接続伝達回路
１４１・・暗号部
２００・・・オーディオアンプ
２００Ａ，２００Ａ´・・・デジタルオーディオ信号の受信系
２０１ａ，２０１ｂ・・・ＨＤＭＩ端子
２０２ａ・・・ＨＤＭＩ送信部
２０２ｂ・・・ＨＤＭＩ受信部
２０３ａ．２０３ｂ・・・高速バスインタフェース
２０４・・・ＳＰＤＩＦ受信回路
２０５・・・ＭＰＥＧデコーダ
２０６・・・映像・グラフィック処理回路
２０７・・・音声処理回路
２０８・・・音声増幅回路
２０９・・・音声出力端子
２１０・・・イーサネットインタフェース
２１１・・・内部バス
２１２・・・ＣＰＵ
２１３・・・フラッシュＲＯＭ
２１４・・・ＤＲＡＭ
２１５・・・表示制御部
２１６・・・パネル駆動回路
２１７・・・表示パネル
２１８・・・電源部
２１９・・・リモコン受信部
２２０・・・リモコン送信機
２２１・・・プラグ接続検出回路
２３１・・・ＰＬＬ回路
２３２・・・プログラム格納部
２４１・・・復号部
３００Ａ・・・メディア再生機におけるデジタルオーディオ信号の送信系
３００・・・ＢＤプレーヤ
３０１・・・ＨＤＭＩ端子
３０２・・・ＨＤＭＩ送信部
３０３・・・高速バスインタフェース
３０４・・・内部バス
３０５・・・ＣＰＵ
３０６・・・フラッシュＲＯＭ
３０７・・・ＳＤＲＡＭ
３０８・・・表示制御部
３０９・・・リモコン受信部
３１０・・・リモコン送信機
３１１・・・記憶媒体制御インタフェース
３１２ａ・・・ＢＤドライブ
３１２ｂ・・・ＨＤＤ
３１２ｃ・・・ＳＳＤ
３１３・・イーサネットインタフェース
３１４・・・ネットワーク端子
３１５・・・ＭＰＥＧデコーダ
３１６・・・グラフィック生成回路
３１７・・・映像出力端子
３１８・・音声出力端子
３１９・・・パネル駆動回路
３２０・・・表示パネル
３２１・・・電源部
４００・・・受信アンテナ
５００・・・スピーカシステム
６１０，６２０・・・ＨＤＭＩケーブル
６３０・・・光ケーブル
【図１】
2017043378.tif 000003
【図２】
2017043378.tif 000004
【図３】
2017043378.tif 000005
【図４】
2017043378.tif 000006
【図５】
2017043378.tif 000007
【図６】
2017043378.tif 000008
【図７】
2017043378.tif 000009
【図８】
2017043378.tif 000010
【図９】
2017043378.tif 000011
【図１０】
2017043378.tif 000012
【図１１】
2017043378.tif 000013
【図１２】
2017043378.tif 000014
【図１３】
2017043378.tif 000015
【図１４】
2017043378.tif 000016
【図１５】
2017043378.tif 000017
【図１６】
2017043378.tif 000018
【図１７】
2017043378.tif 000019
【図１８】
2017043378.tif 000020
【図１９】
2017043378.tif 000021
【図２０】
2017043378.tif 000022
【図２１】
2017043378.tif 000023
【図２２】
2017043378.tif 000024
【図２３】
2017043378.tif 000025
【図２４】
2017043378.tif 000026
【図２５】
2017043378.tif 000027
【図２６】
2017043378.tif 000028
【図２７】
2017043378.tif 000029
【図２８】
2017043378.tif 000030
【国際調査報告】
2017043378.tif 000031
2017043378.tif 000032
2017043378.tif 000033
2017043378.tif 000034